(57)【要約】  実施形態の方法は、ランク３またはランク４送信についてのＤＭＲＳを送信するための復調参照信号（ＤＭＲＳ）パターンを規定する。ＤＭＲＳパターンは、ランク３またはランク４送信についてのアンテナポート７−１４における３または４個のアンテナポート上でＤＭＲＳを搬送するために、物理リソースブロック（ＰＲＢ）あたり、合計で１２個のＲＥを指定する。ＤＭＲＳパターンに従ってＤＭＲＳを送信するためのＤＭＲＳ設定は、ダウンリンク制御情報テーブルを使用して指定され得る。
2020516158.tif 000002
【特許請求の範囲】
【請求項１】
アクセスノードによって実装される方法であって、前記方法は、
値を含むダウンリンク制御メッセージを送信する段階であって、前記値は、アンテナポート７、８および１１からの３層ダウンリンクデータ送信、および、長さ４の直交符号が前記３層ダウンリンクデータ送信についての復調参照信号に適用されることを指定する、段階を備える、
方法。
【請求項２】
前記値は、ルックアップテーブルにおけるエントリのインデックスである、請求項１に記載の方法。
【請求項３】
無線リソース制御（ＲＲＣ）メッセージにおいて、前記ルックアップテーブルの識別子を送信する段階であって、前記識別子は、複数のルックアップテーブルから前記ルックアップテーブルを識別する、段階を更に備える、請求項２に記載の方法。
【請求項４】
前記値は、０のスクランブリング識別子を更に指定する、請求項１に記載の方法。
【請求項５】
２コードワードが前記３層ダウンリンクデータ送信について有効であるとき、前記値は効力を有する、請求項１に記載の方法。
【請求項６】
前記直交符号の各々は、［１  １  １  １］、［１  −１  １  −１］、［１  １  −１  −１］、または、［１  −１  −１  １］の１つである、請求項１に記載の方法。
【請求項７】
アクセスノードによって実装される方法であって、前記方法は、
値を含むダウンリンク制御メッセージを送信する段階であって、前記値は、アンテナポート７、８、１１および１３からの４層ダウンリンクデータ送信、および、長さ４の直交符号が前記４層ダウンリンクデータ送信についての復調参照信号に適用されることを指定する、段階を備える、
方法。
【請求項８】
前記値は、ルックアップテーブルにおけるエントリのインデックスである、請求項７に記載の方法。
【請求項９】
無線リソース制御（ＲＲＣ）メッセージにおいて、前記ルックアップテーブルの識別子を送信する段階であって、前記識別子は、複数のルックアップテーブルから前記ルックアップテーブルを識別する、段階を更に備える、請求項８に記載の方法。
【請求項１０】
前記値は更に、０のスクランブリング識別子を指定する、請求項７に記載の方法。
【請求項１１】
２コードワードが前記４層ダウンリンクデータ送信について有効であるとき、前記値は効力を有する、請求項７に記載の方法。
【請求項１２】
前記直交符号の各々は、［１  １  １  １］、［１  −１  １  −１］、［１  １  −１  −１］、または、［１  −１  −１  １］の１つである、請求項７に記載の方法。
【請求項１３】
アクセスノードが、３層データ送信についての復調参照信号を送信する段階であって、長さ４の直交符号が前記復調参照信号に適用され、前記復調参照信号は、アンテナポート７、アンテナポート８およびアンテナポート１１を介して送信される、段階を備える方法。
【請求項１４】
前記直交符号は、［１  １  １  １］、［１  −１  １  −１］、［１  １  −１  −１］および［１  −１  −１  １］を含む、請求項１３に記載の方法。
【請求項１５】
前記３層データ送信は２コードワードを使用する、請求項１３に記載の方法。
【請求項１６】
アクセスノードが、４層データ送信についての復調参照信号を送信する段階であって、長さ４の直交符号が前記復調参照信号に適用され、前記復調参照信号は、アンテナポート７、アンテナポート８、アンテナポート１１およびアンテナポート１３を介して送信される、段階を備える方法。
【請求項１７】
前記直交符号は、［１  １  １  １］、［１  −１  １  −１］、［１  １  −１  −１］および［１  −１  −１  １］を含む、請求項１６に記載の方法。
【請求項１８】
前記４層データ送信は２コードワードを使用する、請求項１６に記載の方法。
【請求項１９】
命令を含む非一時的メモリストレージと、
前記メモリストレージと通信する１つまたは複数のプロセッサと
を備える機器であって、前記１または複数のプロセッサは、
値を含むダウンリンク制御メッセージを送信する命令を実行し、前記値は、アンテナポート７、８および１１からの３層ダウンリンクデータ送信、および、長さ４の直交符号が３層ダウンリンクデータ送信についての復調参照信号に適用されることを指定する、
機器。
【請求項２０】
前記値は、ルックアップテーブルにおけるエントリのインデックスである、請求項１９に記載の機器。
【請求項２１】
前記１または複数のプロセッサは更に、
無線リソース制御（ＲＲＣ）メッセージにおいて、前記ルックアップテーブルの識別子を送信する命令であって、前記識別子は、複数のルックアップテーブルから前記ルックアップテーブルを識別する、命令を実行する、請求項２０に記載の機器。
【請求項２２】
前記値は更に、０のスクランブリング識別子を指定する、請求項１９に記載の機器。
【請求項２３】
２コードワードが前記３層ダウンリンクデータ送信について有効であるとき、前記値は効力を有する、請求項１９に記載の機器。
【請求項２４】
前記直交符号の各々は、［１  １  １  １］、［１  −１  １  −１］、［１  １  −１  −１］または［１  −１  −１  １］のいずれか１つである、請求項１９に記載の機器。
【請求項２５】
命令を含む非一時的メモリストレージと、
前記メモリストレージと通信する１つまたは複数のプロセッサと
を備える機器であって、前記１または複数のプロセッサは、
値を含むダウンリンク制御メッセージを送信する命令を実行し、前記値は、アンテナポート７、８、１１および１３からの４層ダウンリンクデータ送信、および、長さ４の直交符号が前記４層ダウンリンクデータ送信についての復調参照信号に適用されることを指定する、
機器。
【請求項２６】
前記値は、ルックアップテーブルにおけるエントリのインデックスである、請求項２５に記載の機器。
【請求項２７】
前記１または複数のプロセッサは更に、
無線リソース制御（ＲＲＣ）メッセージにおいて、前記ルックアップテーブルの識別子を送信する命令であって、前記識別子は、複数のルックアップテーブルから前記ルックアップテーブルを識別する、命令を実行する、請求項２６に記載の機器。
【請求項２８】
前記値は更に、０のスクランブリング識別子を指定する、請求項２５に記載の機器。
【請求項２９】
２コードワードが前記４層ダウンリンクデータ送信について有効であるとき、前記値は効力を有する、請求項２５に記載の機器。
【請求項３０】
前記直交符号の各々は、［１  １  １  １］、［１  −１  １  −１］、［１  １  −１  −１］または［１  −１  −１  １］のいずれか１つである、請求項２５に記載の機器。
【発明の詳細な説明】
【技術分野】
【０００１】
本願は、２０１７年１１月３０日に出願された、「復調参照信号のオーバーヘッドを低減するためのシステムおよび方法」と題する米国非仮特許出願第１５／８２８，１０７号に対する優先権を主張するものであり、当該出願は、２０１７年３月３１日に出願された、「復調参照信号（ＤＭＲＳ）オーバーヘッド低減システムおよび方法」と題する米国仮特許出願第６２／４８０，０２３号、および、２０１７年４月４日に出願された、「復調参照信号（ＤＭＲＳ）オーバーヘッド低減システムおよび方法」と題する米国仮特許出願第６２／４８１，６４８に対する優先権を主張するものであり、これらの特許出願はすべて、参照により、全体が複製されるのと同様に、本明細書に組み込まれる。
【０００２】
本発明は概して、ネットワークにおけるリソースの割り当ての管理に関連し、特定の実施形態において、復調参照信号のオーバーヘッドを低減するためのシステムおよび方法の技法および機構に関連する。
【背景技術】
【０００３】
ダウンリンク復調については、ロングタームエボリューション（ＬＴＥ）仕様は、復調参照信号（ＤＭＲＳ）を規定しており、これにより、ＵＥは、参照信号を推定し、データ等化およびチャネル復号のためのチャネルイコライザを得ることが可能になる。ＤＭＲＳは、各スロットにおける特定のリソース要素（ＲＥ）において搬送され得て、ＲＥの位置は、具体的には、アンテナ構成（または送信モード）に従って決定され得る。異なるアンテナポートについては、ＤＭＲＳを搬送するための異なるＲＥが、異なる直交カバーコード（ＯＣＣ）方式で使用され、その結果、異なるオーバーヘッド、および、チャネル推定の異なる正確度をもたらす。
【発明の概要】
【０００４】
技術的利点は概して、復調参照信号のオーバーヘッドを低減するためのシステムおよび方法を説明する本開示の実施形態によって実現される。
【０００５】
本開示の一態様によれば、アクセスノードによって実装される方法が提供される。当該方法は、値を含むダウンリンク制御メッセージを送信する段階であって、値は、アンテナポート７、８および１１からの３層ダウンリンクデータ送信、および、長さ４の直交符号が３層ダウンリンクデータ送信のための復調参照信号に適用されることを指定する、段階を備える。
【０００６】
本開示の別の態様によれば、アクセスノードによって実装される方法が提供され、当該方法は、値を含むダウンリンク制御メッセージを送信する段階であって、値は、アンテナポート７、８、１１および１３からの４層ダウンリンクデータ送信、および、長さ４の直交符号が４層ダウンリンクデータ送信のための復調参照信号に適用されることを指定する、段階を備える。
【０００７】
本開示の更に別の態様によれば、命令を含む非一時的メモリストレージと、メモリストレージと通信する１つまたは複数のプロセッサとを備える機器が提供され、当該１または複数のプロセッサは、値を含むダウンリンク制御メッセージを送信する命令を実行し、値は、アンテナポート７、８および１１からの３層ダウンリンクデータ送信、および、長さ４の直交符号が３層ダウンリンクデータ送信の復調参照信号に適用されることを指定する。
【０００８】
本開示の更に別の態様によれば、命令を含む非一時的メモリストレージと、メモリストレージと通信する１つまたは複数のプロセッサとを備える機器が提供され、当該１または複数のプロセッサは、値を含むダウンリンク制御メッセージを送信する命令を実行し、値は、アンテナポート７、８、１１および１３からの４層ダウンリンクデータ送信、および、長さ４の直交符号が４層ダウンリンクデータ送信の復調参照信号に適用されることを指定する。
【０００９】
任意選択で、前述の態様のいずれかにおいて、値は、ルックアップテーブルにおけるエントリのインデックスである。
【００１０】
任意選択で、前述の態様のいずれかにおいて、方法は更に、無線リソース制御（ＲＲＣ）メッセージにおいてルックアップテーブルの識別子を送信する段階を備え、識別子は、複数のルックアップテーブルから当該ルックアップテーブルを識別する。
【００１１】
任意選択で、前述の態様のいずれかにおいて、値は更に、０のスクランブリング識別子を指定する。
【００１２】
任意選択で、前述の態様のいずれかにおいて、２コードワードが３層ダウンリンクデータ送信について有効であるとき、値は効力を有する。
【００１３】
任意選択で、前述の態様のいずれかにおいて、直交符号の各々は、［１  １  １  １］、［１  −１  １  −１］、［１  １  −１  −１］または［１  −１  −１  １］の１つである。
【００１４】
本開示の更に別の態様によれば、アクセスノードが、３層データ送信のために復調参照信号を送信する段階であって、長さ４の直交符号が復調参照信号に適用され、復調参照信号は、アンテナポート７、アンテナポート８およびアンテナポート１１を介して送信される、段階を備える方法が提供される。
【００１５】
本開示の更に別の態様によれば、アクセスノードが、４層データ送信のために復調参照信号を送信する段階であって、長さ４の直交符号が復調参照信号に適用され、復調参照信号は、アンテナポート７、アンテナポート８、アンテナポート１１およびアンテナポート１３を介して送信される、段階を備える方法が提供される。
【００１６】
任意選択で、前述の態様のいずれかにおいて、直交符号は、［１  １  １  １］、［１  −１  １  −１］、［１  １  −１  −１］および［１  −１  −１  １］を含む。
【００１７】
任意選択で、前述の態様のいずれかにおいて、３層データ送信は２コードワードを使用する。
【００１８】
任意選択で、前述の態様のいずれかにおいて、４層データ送信は２コードワードを使用する。
【図面の簡単な説明】
【００１９】
本開示およびその利点をより十分に理解せしめるべく、ここで、添付図面と併せて、以下の説明が参照される。
【００２０】
【図１】無線通信ネットワークの実施形態の図を示す。
【００２１】
【図２】復調参照信号（ＤＭＲＳ）パターンの実施形態の図を示す。
【００２２】
【図３】ＤＭＲＳパターンの別の実施形態の図を示す。
【００２３】
【図４】ＤＭＲＳパターンの更に別の実施形態の図を示す。
【００２４】
【図５】ランク３またはランク４送信についてのＤＭＲＳパターンの実施形態の図を示す。
【００２５】
【図６】ランク３またはランク４送信についてのＤＭＲＳパターンの別の実施形態の図を示す。
【００２６】
【図７】ランク３またはランク４送信についてのＤＭＲＳパターンの実施形態の図を示す。
【００２７】
【図８】ダウンリンク制御情報（ＤＣＩ）テーブルの実施形態を示す。
【００２８】
【図９】ルックアップテーブルの別の実施形態を示す。
【００２９】
【図１０】無線通信についての方法の実施形態のフローチャートを示す。
【００３０】
【図１１】無線通信についての方法の別の実施形態のフローチャートを示す。
【００３１】
【図１２】無線通信についての方法の更に別の実施形態のフローチャートを示す。
【００３２】
【図１３】無線通信についての方法の更に別の実施形態のフローチャートを示す。
【００３３】
【図１４】無線通信についての方法の更に別の実施形態のフローチャートを示す。
【００３４】
【図１５】無線通信についての方法の更に別の実施形態のフローチャートを示す。
【００３５】
【図１６】処理システムの実施形態の図を示す。
【００３６】
【図１７】送受信機の実施形態の図を示す。
【００３７】
別途に示されない限り、異なる図における対応する番号および記号は概して、対応する部分を指す。図は、実施形態の関連する態様を明確に示すために描かれ、必ずしも縮尺通りに描かれていない。
【発明を実施するための形態】
【００３８】
本開示の実施形態の形成および利用が、以下、詳細に説明される。しかしながら、本明細書に開示される概念は、多様な具体的状況において具現可能なものであり、本明細書で説明される具体的な実施形態は例示に過ぎず、特許請求の範囲を限定するために機能するものではないことを理解されたい。更に、添付の特許請求の範囲によって規定される本開示の主旨および範囲から逸脱することなく、本明細書において、様々な変更、置換および修正を行うことができることを理解されたい。
【００３９】
本開示の実施形態は、復調参照信号（ＤＭＲＳ）を送信するための方法を提供する。一部の実施形態において、ＤＭＲＳパターンは、ランク３および／またはランク４送信について規定される。ＤＭＲＳパターンは、ＤＭＲＳを搬送するための物理リソースブロック（ＰＲＢ）あたり、複数のＲＥを規定する。実施形態において、３層または４層送信についてのＤＭＲＳを搬送するために、ＰＲＢにおいて合計で十二（１２）個のリソース要素（ＲＥ）が規定される。ポート７からポート１４のうち、任意の３または４個のアンテナポートを使用して、３層または４層送信が実行され得る。異なるアンテナポートを介して送信されるＤＭＲＳを区別するべく、長さ４の直交符号が使用され得る。一部の実施形態において、ランク３またはランク４送信についての規定されたＤＭＲＳパターンに従ってＤＭＲＳを送信するためのＤＭＲＳ設定が、基地局などのアクセスノードによって規定および送信され得る。ＤＭＲＳ設定は、ＤＭＲＳの送信に使用される、レイヤ１、レイヤ２、レイヤ３などの送信レイヤの数、ランク３またはランク４送信を実行するためのアンテナポートの番号、および、長さ４の直交符号についての情報を指定し得る。ＤＭＲＳ設定は、予約されたエントリを使用して、または、既存のエントリと置き換えることにより、新たなエントリとして、既存のルックアップテーブルに追加され得る。また、ＤＭＲＳ設定を指定するために、新しいダウンリンク制御情報（ＤＣＩ）テーブルが生成され得る。実施形態の方法は、ＰＲＢあたり、従来の方法における２４個のＲＥではなく、１２個のＲＥを使用して、ランク３および／またはランク４送信のためにＤＭＲＳを搬送し、ＤＭＲＳのオーバーヘッドを大幅に低減する。例えば、アクセスノードは、３層データ送信のためにＤＭＲＳを送信し得て、ＤＭＲＳは、３個のアンテナポートを介して送信され、関連する各リソースブロックについて１２個のリソース要素を占有する。別の例において、アクセスノードは４層データ送信のためにＤＭＲＳを送信し得て、ＤＭＲＳは、４個のアンテナポートを介して送信され、関連する各リソースブロックについて１２個のリソース要素を占有する。
【００４０】
図１は、データを通信するためのネットワーク１００を示す。ネットワーク１００は、カバレッジエリア１０１を有する基地局１１０、複数のモバイルデバイス１２０、および、バックホールネットワーク１３０を備える。示されるように、基地局１１０は、モバイルデバイス１２０から基地局１１０へデータを搬送する（その逆も成立する）ように機能するモバイルデバイス１２０とのアップリンク（破線）および／またはダウンリンク（点線）接続を確立する。アップリンク／ダウンリンク接続を介して搬送されるデータは、モバイルデバイス１２０間で通信されるデータ、および、バックホールネットワーク１３０を用いてリモート側（図示されない）との間で通信されるデータを含み得る。本明細書において使用される場合、「基地局」という用語は、強化型基地局（ｅＮＢ）、マクロセル、フェムトセル、Ｗｉ−Ｆｉアクセスポイント（ＡＰ）、または、他の無線対応デバイスなど、無線アクセスをネットワークに提供するよう構成される任意のコンポーネント（またはコンポーネントの集合）を指す。基地局は、例えば、ロングタームエボリューション（ＬＴＥ）、ＬＴＥアドバンスド（ＬＴＥ−Ａ）、高速パケットアクセス（ＨＳＰＡ）、Ｗｉ−Ｆｉ  ８０２．１１ａ／ｂ／ｇ／ｎ／ａｃなど、１または複数の無線通信プロトコルに従って、無線アクセスを提供し得る。本明細書において使用される場合、「モバイルデバイス」という用語は、ユーザ機器（ＵＥ）、移動局（ＳＴＡ）および他の無線対応デバイスなど、基地局との無線接続を確立可能な任意のコンポーネント（またはコンポーネントの集合）を指す。一部の実施形態において、ネットワーク１００は、様々な他の無線デバイス、例えば、リレー、低電力ノードなどを備えてよい。
【００４１】
ダウンリンク復調については、ＬＴＥ仕様は、復調参照信号（ＤＭＲＳ）を規定しており、これにより、ＵＥは、参照信号を推定し、データ等化およびチャネル復号のためのチャネルイコライザを得ることが可能になる。ＤＭＲＳは、各スロットにおける直交周波数分割多重（ＯＦＤＭ）時間周波数グリッドにおけるリソース要素（ＲＥ）において搬送され得る。ＯＦＤＭ時間周波数グリッドは、時間領域におけるＯＦＤＭシンボルおよび周波数領域におけるサブキャリアを含む時間周波数リソースを指定する。ＲＥは、１つのＯＦＤＭシンボルおよび１つのサブキャリアにおける時間周波数リソースによって規定される。ＯＦＤＭ時間周波数グリッドにおけるＤＭＲＳを搬送するＲＥの場所は異なり得て、結果として、異なるＤＭＲＳパターンをもたらす。各ＤＭＲＳパターンは、ＤＭＲＳを搬送するためのＯＦＤＭ時間周波数グリッドの物理リソースブロック（ＰＲＢ）あたり、複数のＲＥを指定する。本開示を通して、「ＰＲＢ」および「ＲＢ」の用語は交換可能に使用される。ＤＭＲＳパターンはＲＢに関連する。
【００４２】
ＬＴＥは、異なるアンテナポートを介して実行される送信の異なる層に対応する送信の異なるランクを規定する。例えば、ＬＴＥは、ランク１−８（１−８レイヤ）送信を規定する。ランク１およびランク２送信は、それぞれアンテナポート７および８にマッピングされるレイヤ１およびレイヤ２送信を含む。ランク３およびランク４送信は、それぞれアンテナポート７、８、９、１０にマッピングされるレイヤ１〜レイヤ４送信を含む。ランク５〜ランク８送信は、それぞれアンテナポート７−１４にマッピングされるレイヤ１〜レイヤ８送信を含む。異なるアンテナポートについては、異なる直交カバーコード（ＯＣＣ）方式と共に、異なるＤＭＲＳパターンが規定および使用される。異なるＤＭＲＳパターンは、異なるオーバーヘッドを必要として、その結果、チャネル推定の異なる正確度をもたらす。一般に、低〜無モビリティのユーザ、例えば、大まかに固定無線アクセス（ＦＷＡ）ユーザは、復調復号要件を満たすために必要なＤＭＲＳのオーバーヘッドが、モビリティを有するユーザより低い。開示を通して、「ポート」および「アンテナポート」という用語は交換可能に使用される。
【００４３】
図２は、３ＧＰＰ  ＴＳ．３６．２１２からの、ランク１およびランク２送信のＤＭＲＳパターンの図を示す。この例示的なＤＭＲＳパターンにおいて、ＲＢあたり１２個のＲＥが、ポート７およびポート８についてのＤＭＲＳを搬送するために使用される。図２は、時間領域における１４個のシンボル、および、周波数領域における１２個のサブキャリアを含む、ＯＦＤＭ時間周波数グリッドにおけるＲＢ２００を示し、すなわち、ＲＢ２００において、ＲＥは１４×１２＝１６８個である。ＲＢ２００は、ＤＭＲＳを送信するために、１２個のＲＥ２０２（斜線で網掛け）を含む。１２個のＲＥは、ＤＭＲＳ  ＲＥと称され得る。この例において、１２個のＲＥのすべてが占有され、ポート７またはポート８のいずれかについてのＤＭＲＳを送信する。ポート７および８についてのＤＭＲＳを送信するとき、異なるＯＣＣ２コードが使用され、その結果、受信機は、受信されたＤＭＲＳが、ポート７からのものであるか、または、ポート８からのものであるかを決定できる。例えば、ＯＣＣ２コード［１  １］は、ポート７を介して送信されるＤＭＲＳに適用され得て、ＯＣＣ２コード［１  −１］は、ポート８を介して送信されるＤＭＲＳに適用され得る。示されるように、１２個のＲＥ２０２は、６つのＲＥペア２０４に分割され、各ペアは、同一のサブキャリアおよび互いに隣接するＯＦＤＭシンボルを有する２個のＲＥを含む。例示的な実装において、各ペア２０４（すなわち、２個のＲＥ）は、特定のポートについて決定または選択されるＯＣＣ２コードと乗算され得る。 
【００４４】
図３は、ランク３およびランク４送信についてのＤＭＲＳパターンの図を示す。この例示的なＤＭＲＳパターンにおいて、４個のポート、すなわち、ポート７、ポート８、ポート９およびポート１０に対応するレイヤ１、レイヤ２、レイヤ３およびレイヤ４送信についてのＤＭＲＳを搬送するために、ＲＢあたり２４個のＲＥが規定される。ランク３送信については、３層の送信が、４個のポートのうち３個を介して実行される。ランク４送信については、４層の送信が、４個のポートを介して実行される。図３は、１６８個のＲＥを有するＲＢ３００が、レイヤ１、レイヤ２、レイヤ３、レイヤ４送信についてのＤＭＲＳを搬送するための２４個のＤＭＲＳ  ＲＥを含むことを示す。ポート７またはポート８を介して送信されるＤＭＲＳについては、１２個のＲＥ３０２（斜線で網掛け）が占有される。ポート９またはポート１０を介して送信されるＤＭＲＳについては、１２個のＲＥ３０４（水平線で網掛け）が占有される。ポート７および８についてのＤＭＲＳを送信するとき、異なるＯＣＣ２コードが使用される。同様に、ポート９および１０についてのＤＭＲＳを送信するとき、異なるＯＣＣ２コードが使用される。示されるように、１２個のＲＥ３０２は、６つのＲＥペア３０６に分割され、各ペアは、同一のサブキャリア、および、互いに隣接する、異なるＯＦＤＭシンボルを有する２個のＲＥを含む。同様に、１２個のＲＥ３０４は６つのＲＥペア３０８に分割され、各ペアは、同一のサブキャリア、および、互いに隣接する、異なるＯＦＤＭシンボルを有する２個のＲＥを含む。ＲＥ３０２または３０４の位置は、図３に示されるものと異なり得る。
【００４５】
図４は、ランク５、ランク６、ランク７およびランク８送信についてのＤＭＲＳパターンの図を示す。この例示的なＤＭＲＳパターンにおいて、ポート７〜ポート１４に対応するレイヤ１〜レイヤ８送信についてのＤＭＲＳを搬送するために、ＲＢあたり２４個のＲＥが規定される。示されるように、１６８個のＲＥを有するＲＢ４００は、ＤＭＲＳを搬送するための２４個のＤＭＲＳ  ＲＥを含む。ポート７、ポート８、ポート１１およびポート１３を介して送信されるＤＭＲＳについては、１２個のＲＥ４０２（斜線で網掛け）が占有される。ポート９、ポート１０、ポート１２およびポート１４を介して送信されるＤＭＲＳについては、１２個のＲＥ４０４（水平線で網掛け）が占有される。ポート７、ポート８、ポート１１およびポート１３についてのＤＭＲＳを送信するとき、異なるＯＣＣ４コードが使用され、その結果、受信機は、これらのポートから受信したＤＭＲＳを区別することができる。例えば、ＯＣＣ４コード［１  １  １  １］は、ポート７についてのＤＭＲＳに適用され得て、ＯＣＣ４コード［１  −１  １  −１］は、ポート８についてのＤＭＲＳに適用され得て、ＯＣＣ４コード［１  １  −１  −１］は、ポート１１についてのＤＭＲＳに適用され得て、ＯＣＣ４コード［−１  −１  １  １］は、ポート１３についてのＤＭＲＳに適用され得る。同様に、ポート９、ポート１０、ポート１２およびポート１４についてのＤＭＲＳを送信するとき、異なるＯＣＣ４コードが使用される。示されるように、１２個のＲＥ４０２は、３つのグループ４０６に分割され、各グループ４０６は、同一の行において４個のＲＥを含む（すなわち、４個のＲＥは同一のサブキャリアを有する）。各グループは、４つ組とも称され得る。同様に、１２個のＲＥ４０４は、３つの４つ組４０８に分割され、各４つ組４０８は、同一の行に４個のＲＥを含む。ＯＣＣ４コードをＤＭＲＳに適用するための例示的な実装において、ＲＥ４０６または４０８の各４つ組は、対応するアンテナポートについて指定されたＯＣＣ４コードで乗算され得る。 
【００４６】
異なる層の送信に使用される異なるＤＭＲＳパターンは、異なるＤＭＲＳのオーバーヘッドを生成する。一部の実施形態において、ＤＭＲＳのオーバーヘッドは、ポートごとにＤＭＲＳを搬送するために使用されるＲＢあたりのＲＥの数によって決定され得る。例えば、ランク１またはランク２送信において、１２個のＲＥが、２個のポートを介してＤＭＲＳを送信するために使用される。従って、オーバーヘッドは、ポートあたり、ランクあたり、１２／２＝６個のＲＥによって示され得る。２４個のＲＥが４個のポートに利用される、ランク３またはランク４送信については、オーバーヘッドは、ポートあたり、ランクあたり、２４／４＝６個のＲＥである。２４個のＲＥが８個のポートに利用される、ランク５〜ランク８送信については、オーバーヘッドは、ポートあたり、ランクあたり、２４／８＝３個のＲＥである。
【００４７】
本開示の実施形態は、レイヤ１、レイヤ２、レイヤ３およびレイヤ４送信に対応するランク３およびランク４送信についてのＤＭＲＳのオーバーヘッドを低減するための方法を提供する。具体的には、一実施形態によれば、レイヤ１、レイヤ２、レイヤ３およびレイヤ４送信において４個のポートを介してＤＭＲＳを送信するために、ＲＢあたり、同一の１２個のＲＥが使用される。この場合、４個のポートを介して送信されるＤＭＲＳを区別するべく、（ＯＣＣ２コードではなく）ＯＣＣ４コードが利用される。ＲＢあたり、図３に示されるように２４個のＲＥではなく、１２個のＲＥを使用することにより、オーバーヘッドが５０％、すなわち、ポートあたり、ランクあたり、１２／４＝３個のＲＥだけ低減される。
【００４８】
図５は、ランク３およびランク４送信についてのＤＭＲＳパターンの実施形態の図を示す。図５は、１６８個のＲＥを有するＲＢ５００が、４個のアンテナポートを介したランク３およびランク４送信についてのＤＭＲＳを搬送するために、合計で１２個のＤＭＲＳ  ＲＥ５０２を含むことを示す。同一の１２個のＲＥ５０２は、４個のポートの各々についてのＤＭＲＳを送信するために使用される。一部の実施形態において、４個のポートは、ポート７〜ポート１４から選択される任意の４個のポートを含み得る。例えば、４個のポートは、ポート７、８、９および１０であり得る。別の例において、４個のポートは、ポート７、８、１１および１３であり得る。更に別の例において、４個のポートは、ポート９、１０、１２および１４であり得る。ランク３送信については、４個のポートをうち３個を介して実行される最大３層の送信がある。例えば、ポート７、８、１１は、ランク３送信に使用され得る。別の例において、９、１０、１２はランク３送信に使用され得る。ランク４送信については、４個のポートを介して実行される最大４層の送信がある。例えば、ポート７、８、１１、１３、または、ポート９、１０、１２および１４が、ランク４送信に使用され得る。４個のポートは予め定められ得る、もしくは、予め設定され得る、または、ランク３もしくはランク４送信について動的に構成され得る。どのポート（例えば、ポートの番号）がランク３またはランク４送信に使用されるかについての情報が、無線リソース制御（ＲＲＣ）メッセージ、または、ダウンリンク制御メッセージなどのメッセージにおいて通信され得る。例えば、アクセスノードは、そのような情報を含むダウンリンク制御メッセージを送信し得る。この実施形態において、ポート７、８、１１および１３は、ランク３およびランク４送信のための例として使用される。例として、ポート９、１０、１２および１４は、ランク３およびランク４送信のために使用され得る。
【００４９】
一部の実施形態において、ポート７、ポート８、ポート１１、および、ポート１３についてのＤＭＲＳを送信するとき、これらのポートを介して送信されるＤＭＲＳを区別するために、異なるＯＣＣ４コードが使用され得る。例えば、ＯＣＣ４コード［１  １  １  １］、［１  −１  １  −１］、［１  １  −１  −１］および［１  −１  −１  １］が、それぞれ、ポート７、ポート８、ポート１１およびポート１３に割り当てられ得る。他の直交符号も可能であり、それらは、４個のポートのうちのどれが、受信したＤＭＲＳのどれを送信するかを受信機が決定できるようにも使用され得る。示されるように、１２個のＲＥ５０２は３つのグループ５０４に分割され、各グループ５０４は、同一の行に４個のＲＥを含む（すなわち、４個のＲＥは同一のサブキャリアを有する）。各グループにおいて、４個のＲＥは、２つのペアに分割されるものと見なされ得て、各ペアは、隣接するＯＦＤＭシンボルに位置する２個のＲＥを含む（または、２個のＲＥは、時間領域において隣接するように位置する）。対応するアンテナポートについて指定されたＯＣＣ４コードを適用するとき、ＲＥの各グループ（すなわち、ＲＥの４つ組）５０４は、ＯＣＣ４コードで乗算され得る。この場合、各グループは、ＯＣＣ４グループとも称され得る。各ＲＥは、シンボルインデックスおよびサブキャリアインデックス、例えば、（シンボルインデックス、サブキャリアインデックス）を使用して識別され得る。例えば、一番上の行における４個のＲＥのグループは、（６，１２）、（７，１２）、（１３，１２）および（１４，１２）によって表され得る。また、示されるように、異なるＯＣＣグループ５０４におけるＲＥは、時間領域において互いに揃っている。例えば、３つのＯＣＣグループにおけるＲＥ５０２ａは、時間領域において互いにすべて揃っている（すなわち、それらは同一のＯＦＤＭシンボルに位置する）。同様に、３つのＯＣＣグループ５０４におけるＲＥ５０２ｂは、時間領域において互いにすべて揃っている。
【００５０】
ランク３およびランク４送信についてのＤＭＲＳを搬送する実施形態における１２個のＲＥは、図５に示されるものと異なるように位置し得る。一部の実施形態において、実施形態における１２個のＲＥは、ＤＭＲＳを搬送するために、規格において指定された、または、既存のＲＥ（例えば、ＬＴＥ規格）に位置し得る。例えば、図５の実施形態における１２個のＲＥは、図３において示されるように、ポート７および８について規定される１２個のＲＥと同一の位置を有する。別の例において、図５の実施形態における１２個のＲＥは、図３において示されるように、ポート９および１０について規定されるＲＥと同一の位置を有し得る。一部の実施形態において、各ＯＣＣグループにおける４個のＲＥは、異なる行（すなわち、周波数領域における異なるサブキャリア）に位置し得る。図６に示されるように、ＲＢ６００は、ＤＭＲＳを搬送するために、１２個のＲＥ６０２を含む。１２個のＲＥは、各々４個のＲＥを含む３つのＯＣＣグループ６０４、６０６および６０８に分割される。示されるように、各ＯＣＣグループ６０４、６０６、６０８における４個のＲＥは、同一の行に位置しない。例えば、ＯＣＣグループ６０４におけるＲＥ６０２ａおよびＲＥ６０２ｂは、インデックス番号１１のサブキャリア（サブキャリア１１）に位置し、一方、ＯＣＣグループ６０４におけるＲＥ６０２ｃおよびＲＥ６０２ｄは、サブキャリア１２に位置する。別の例において、ＯＣＣグループにおけるＲＥは、互いに異なるサブキャリアに位置し得る。
【００５１】
また、図６に示されるように、ＯＣＣグループ６０４、６０６および６０８におけるＲＥは、時間領域において互いに揃えられる。しかしながら、一部の実施形態において、１つのＯＣＣグループにおけるＲＥは、ＤＭＲＳパターンの別のＯＣＣグループにおけるＲＥと揃わないことがあり得る。例えば、ＯＣＣグループ６０６におけるＲＥ６０２ｅおよび６０２ｆは、５および６のインデックスを有するシンボル（すなわち、シンボル５およびシンボル６）に、または、シンボル３およびシンボル４にそれぞれ位置し得て、一方、ＯＣＣグループ６０４におけるＲＥ６０２ａおよび６０２ｂは、それぞれシンボル６およびシンボル７に位置する。一部の実施形態において、１つのＯＣＣグループにおける各ＲＥは、別のＯＣＣグループにおけるＲＥとは異なるシンボルに位置し得る。ランク３およびランク４送信のためにＤＭＲＳを搬送する実施形態における１２個のＲＥは、ＲＢ内の様々な場所に位置し得る。例えば、１２個のＲＥは、ＲＢにおいて均等に分散され得る。別の例において、１２個のＲＥはまた、ＲＢ内でランダムに分散され得る。１２個のＲＥの位置は、データまたは制御情報を送信するためのレイテンシ要件などの様々な送信要件に基づいて決定され得る。
【００５２】
一部の実施形態において、異なるＲＢは、異なるＤＭＲＳパターンを使用し得る。図７は、本開示の実施形態に係るＲＢ７１０およびＲＢ７２０において使用される２つの異なるＤＭＲＳパターンを示す図を示す。ＲＢ７１０およびＲＢ７２０はそれぞれ、奇数のＲＢおよび偶数のＲＢであり得る。示されるように、ＲＢ７１０およびＲＢ７２０の各々は、ランク３およびランク４送信についてのＤＭＲＳパターンを送信するために１２個のＲＥを有する。ＲＢ７１０における１２個のＲＥは、３つのＯＣＣグループ７０２に分割され、ＲＢ７１０における１２個のＲＥは３つのＯＣＣグループ７０４に分割される。しかしながら、ＲＢ７１０のＯＣＣグループ７０２におけるＲＥは、それぞれ、サブキャリア２、７および１２に位置し、一方、ＲＢ７２０のＯＣＣグループ７０４におけるＲＥは、それぞれ、サブキャリア１、６および１１に位置する。異なるＲＢについて異なるＤＭＲＳパターンを使用する他の変形形態が可能である。例えば、複数の組のＲＢがＵＥのためにスケジューリングされ得て、各組は、互いに異なる１つのＤＭＲＳパターンを使用し得る。
【００５３】
一部の実施形態において、ランク３およびランク４送信についての複数のＤＭＲＳパターンが予め設定され得る。各ＤＭＲＳパターンは、ＤＭＲＳを搬送するために、ＲＢあたり１２個のＲＥを含み、それらはＲＢにおいて対応する位置を有する。基地局などの送信機は、各送信に使用される１または複数のＤＭＲＳパターンを決定または選択し得る。一実施形態において、送信機は、ランク３またはランク４送信においてＤＭＲＳを送信するために使用されるＤＭＲＳパターンについての情報を、ＵＥなどの受信機へ送信し得る。ＤＭＲＳパターンについての情報は、ＤＭＲＳパターンを識別するＤＭＲＳパターン識別子を含み得る。ＤＭＲＳパターンについての情報は、ＰＲＢあたりのＤＭＲＳを搬送するＲＥの数、または、ＰＲＢあたりのＲＥの位置を含み得る。別の実施形態において、ランク３およびランク４送信についてのＤＭＲＳパターンは、予め定められ得る、または、事前知識として送信機および受信機の両方に指定され得る。例えば、ＤＭＲＳパターンは、規格の技術仕様書において指定され得る。この場合、ランク３またはランク４送信を受信する受信機は、ＲＢにおけるどのＲＥがＤＭＲＳを搬送するかを、事前知識に基づいて、容易に理解するであろう。
【００５４】
一部の実施形態において、ＤＭＲＳを送信するための情報が受信機へも送信され得る。情報は、送信レイヤの数、送信レイヤにおける送信を実行するための１または複数のアンテナポート、および、ＤＭＲＳを送信するために使用されるＯＣＣコードを含み得る。ＤＭＲＳ設定は、スクランブリング識別子など、他の情報も含み得る。情報はＤＭＲＳ設定とも称され得る。ＤＭＲＳ設定は、無線リソース制御（ＲＲＣ）メッセージまたはダウンリンク制御情報（ＤＣＩ）メッセージを使用してＵＥに通信され得る。受信機は、受信されたＤＭＲＳ設定に基づいて、アンテナポートを介して送信されるＤＭＲＳを識別する。従来、各ＤＣＩメッセージは、ルックアップテーブルに従ってＤＭＲＳ設定を指定し得る。例えば、ルックアップテーブルはＤＣＩテーブルであり得る。送信機および受信機の両方はルックアップテーブルにアクセスできる。図８は、３ＧＰＰ  ＴＳ．３６．２１２の技術仕様書において指定されるＤＣＩテーブル８００（テーブル５．３．３．１．５Ｃ−２）を示す。ＤＣＩテーブル８００は、複数のメッセージ値（すなわち、「値」の列における値）を含み、各メッセージ値は、ＤＭＲＳを送信するための情報（すなわち、「メッセージ」の列における情報）に対応する。メッセージ値はまた、ＤＣＩテーブルにおけるエントリのインデックスと称され得て、各インデックスはＤＭＲＳ設定に対応する。例えば、「２コードワード」の列の下のインデックス３（３のメッセージ値）は、［２層、ポート７−８、ｎＳＣＩＤ＝１（ＯＣＣ＝４）］のＤＭＲＳ設定に対応する。すなわち、２コードワードがデータ送信について有効である、または、使用されるとき、「２コードワード」の列の下のインデックス３を有するエントリ、すなわち、［２層、ポート７−８、ｎＳＣＩＤ＝１（ＯＣＣ＝４）］が効力を有し、２層送信において、ＤＭＲＳを送信するために使用される。別の例において、「２コードワード」の列の下のインデックス５（５のメッセージ値）は、［２層、ポート１１、１３、ｎＳＣＩＤ＝１（ＯＣＣ＝４）］のＤＭＲＳ設定に対応する。コードワードは、送信のためにデータがフォーマットされる前のデータを表し得る。１コードワードまたは２コードワードが、チャネル条件、または、使用ケースに応じて、送信のために使用され得る。ｎＳＣＩＤはスクランブリング識別子を表し、含まれるスクランブリング識別子を示すために０または１に設定され得る。スクランブリング識別子は、０のデフォルト値（または、スクランブリング無し）をとる場合、スキップされ得る。一例において、３ＧＰＰ  ＴＳ．３６．２１２のセクション６．１０．３．１、テーブル５．３．３．１．５ｃ−２において指定されるように、上位レイヤパラメータｄｍｒｓ−ｔａｂｌｅＡｌｔが１に設定されているとき、アンテナポート７、８、１１および１３についてのスクランブリング識別子を表すために４ビットが規定される。ＤＣＩメッセージは、ルックアップテーブルにおける対応するＤＭＲＳ設定を示すために、インデックス（メッセージ値）を搬送するだけであり得る。ＤＣＩフォーマット２ｃを例にとると、６のメッセージ値を含むＤＣＩ  ２ｃメッセージは、ＤＣＩテーブル８００におけるＤＭＲＳ設定（「２コードワード」の列の下の値６）を示し、ＤＭＲＳは、ＯＣＣ２コードと共に、ポート７、８および９上でランク３（３層）送信のために送信される。別の例において、ＤＣＩテーブル８００に従って７のメッセージ値（「２コードワード」の列の下の値７）を含むＤＣＩ  ２ｃメッセージは、ポート７および８のために、および、ポート９および１０のためにそれぞれ使用されるＯＣＣ２コードと共に、ＤＭＲＳがポート７、８、９および１０上でランク４（４層）送信のために送信されることを示す。受信機は、受信したメッセージ値に従って、ＤＣＩテーブル８００から情報を検索し得る。これらの例において、図３に示されるものなど、デフォルトのＤＭＲＳパターンは、予め定められ、送信機および受信機の両方に知られている。受信機は、デフォルトのＤＭＲＳパターンに従って搬送されるＤＭＲＳを受信するためには、送信レイヤ、アンテナポート、および、ＯＣＣコードを知るだけでよい。
【００５５】
オーバーヘッドが低減された、ＤＭＲＳパターンの実施形態、例えば、図５〜７において示されるようなＤＭＲＳパターンなどに従ってＤＭＲＳを送信するためのＤＭＲＳ設定が、ルックアップテーブルにおいても指定され、例えば、ＤＣＩメッセージまたはＲＲＣメッセージを使用して受信機と通信され得る。一部の実施形態において、ＤＭＲＳ設定が、無線通信規格に従って、技術仕様書において指定される既存のルックアップテーブルにおける新たなエントリとして追加され得る。例えば、ＤＣＩテーブル８００に新たなエントリが追加され、予約されたエントリを占有し得る。図９は、追加されたＤＭＲＳ設定を含むＤＣＩテーブル９００の実施形態を示す。ルックアップテーブル９００は、図８におけるルックアップテーブル８００から複製されるが、予約エントリにおける「２コードワード」の列の下に、２つの新たなエントリが追加される。ＤＣＩテーブル９００は、既存のＤＣＩテーブルの改変されたＤＣＩテーブルとして理解され得る。示されるように、１２のメッセージ値に対応するランク３送信について、新たなエントリが追加され、１３のメッセージ値に対応するランク４送信について、別の新たなエントリが追加される。
【００５６】
一部の実施形態において、ランク３送信についての新たなエントリは、３層送信がマッピングされるアンテナポートについての情報を含み得る。例えば、ランク３送信のためのアンテナポートは、ポート７、８および９を含み得る。別の例において、アンテナポートは、ポート７、８および１１を含み得る。上で説明されるように、ランク３送信についてのアンテナポートは、ポート７〜ポート１４からの任意の３個のアンテナポートを含み得る。３個のアンテナポートは連続または非連続であり得る。ランク３送信についての新たなエントリは更に、送信レイヤの数、すなわち３層を含む情報を明示的に、または、暗示的に指定し得る。ランク３送信についての新たなエントリはまた、ＯＣＣ方式についての情報、すなわち、長さを有する直交符号、例えば、ＯＣＣ４を含み得る。ランク３送信についての新たなエントリは、スクランブリング識別子を含み得る、または含まないことがあり得て、スクランブリング識別子の任意の値が含まれ得る。説明のための例として、ランク３送信についての新たなエントリは、図９に示されるように、［３層、ポート７、８、１１、ＯＣＣ＝４］などの情報を含み得る。別の例において、ランク３送信についての新たなエントリは、［３層、ポート７、８、９、ＯＣＣ＝４］などの情報を含み得る。実施形態のＤＭＲＳパターンに従って３層送信についてのＤＭＲＳを送信するための新たなエントリにおいて情報を指定するための他の変形形態が可能である。
【００５７】
同様に、ランク４送信についての新たなエントリは、４層送信がマッピングされるアンテナポートについての情報を含み得る。例えば、ランク４送信についてのアンテナポートは、ポート７、８、９および１０を含み得る。別の例において、アンテナポートは、ポート７、８、１１および１３を含み得る。上で説明されるように、ランク４送信についてのアンテナポートは、ポート７〜ポート１４における任意の４個のアンテナポートを含み得る。４個のアンテナポートは連続または非連続であり得る。ランク４送信についての新たなエントリは更に、送信レイヤの数、例えば４層を含む情報を明示的に、または、暗示的に指定し得る。ランク４送信についての新たなエントリはまた、ＯＣＣ方式についての情報、すなわち、長さ４を有する直交符号、例えば、ＯＣＣ４を含み得る。ランク４送信についての新たなエントリは、スクランブリング識別子を含み得る、または含まないことがあり得て、スクランブリング識別子の任意の値が含まれ得る。説明のための例として、ランク４送信についての新たなエントリは、図９に示されるように、［４層、ポート７、８、１１、１３、ＯＣＣ＝４］などの情報を含み得る。別の例において、ランク４送信についての新たなエントリは、［４層、ポート７、８、９、１０、ＯＣＣ＝４］などの情報を含み得る。実施形態のＤＭＲＳパターンに従って４層送信についてのＤＭＲＳを送信するための新たなエントリにおいて情報を指定するための他の変形形態が可能である。
【００５８】
一部の実施形態において、新たなエントリはまた、既存のルックアップテーブル、例えばＤＣＩテーブル８００の既存のエントリと置き換わり得る。例えば、［４層、ポート７、８、１１、１３、ＯＣＣ＝４］の新たなエントリは、「２コードワード」の列の下のＤＣＩテーブル８００における７の値に対応するエントリと置き換わり得る。一部の実施形態において、実施形態のＤＭＲＳパターンに従ってＤＭＲＳを送信するためのＤＭＲＳ設定を含むように、新しいルックアップテーブルが生成され得る。新しいルックアップテーブルは、割り当てられた異なるテーブル識別子を使用して、既存のルックアップテーブルから区別され得る。送信機は、ＤＭＲＳが新しいルックアップテーブルに従って送信されるか、または、既存のルックアップテーブルに従って送信されるかについて、受信機と通信し得る。例えば、送信機は、フラグを受信機へシグナリングすることによって、どのルックアップテーブルが使用されるかを通信し得て、フラグ＝０は、既存のルックアップテーブルが使用されることを示し、フラグ＝１は、新しいルックアップテーブルが使用されることを示し、または、その逆も成立する。そのようなフラグは、無線リソース制御メッセージに含まれ得る。１または複数の新しいルックアップテーブルを、１または複数の既存のルックアップテーブルから区別するための他の変形形態が可能である。ＤＭＲＳ設定を指定する複数のルックアップテーブルが使用可能であるとき、各ルックアップテーブルは、ルックアップテーブル識別子によって識別され得る。この場合、送信機は、どのルックアップテーブルが使用されるかを示すために、ルックアップテーブル識別子を受信機へ送信し得る。このように、受信機は、右のルックアップテーブルにおいて、対応するＤＭＲＳ設定を発見し得る。一実施形態において、デフォルトのルックアップテーブルが規定され得て、送信機および受信機の両方に知らされ得る。どのルックアップテーブルが使用されるかについての情報を受信機が受信しなかったとき、受信機は、ＤＲＭＳ設定を発見するために、デフォルトのルックアップテーブルを使用し得る。 
【００５９】
図１０は、無線通信のための方法１０００の実施形態のフローチャートを示す。方法１０００は、基地局などのアクセスノードで実装され得る。段階１００２において、方法１０００は、ＤＭＲＳパターンに従って３層または４層送信についての復調参照信号（ＤＭＲＳ）を送信する。ＤＭＲＳパターンは、物理リソースブロック（ＰＲＢ）における十二（１２）個のＲＥが、３層または４層送信についてのＤＭＲＳを搬送するために規定されることを指定し、ここで、１２個のＲＥは、長さ４の直交符号で符号化される。一部の実施形態において、段階１００２の前に、方法１０００は、ＤＭＲＳの送信を示すために、ＤＭＲＳ設定を送信し得る。一部の実施形態において、方法１０００は、ＵＥのためにＤＭＲＳパターンを選択または決定し、ＤＭＲＳパターンについての情報をＵＥへ送信し得る。
【００６０】
図１１は、無線通信についての方法１１００の実施形態のフローチャートを示す。方法１１００は、基地局などのアクセスノードで実装され得る。段階１１０２において、方法１１００は、３層送信についてのＤＭＲＳを送信するための第１エントリ、または、４層送信についてのＤＭＲＳを送信するための第２エントリを含む第１ルックアップテーブルにおいて復調参照信号（ＤＭＲＳ）設定を送信する。第１エントリは、データ送信レイヤの数が３であること、３層送信を実行するための３個のアンテナポートのインデックス、および、長さ４の直交符号がＤＭＲＳに適用されることを指定する。第２エントリは、データ送信レイヤの数が４であること、４層送信を実行するための４個のアンテナポートのインデックス、および、長さ４の直交符号がＤＭＲＳに適用されることを指定する。方法１１００は次に、例えば、段階１１０４において、ＤＭＲＳ設定に従って、第１の３層送信、または、第１の４層送信についてのＤＭＲＳを更に送信し得る。
【００６１】
図１２は、無線通信のための方法１２００の別の実施形態のフローチャートを示す。方法１２００は、基地局などのアクセスノードで実装され得る。段階１２０２において、方法１２００は、値を含むダウンリンク制御メッセージを送信し、ここで、値は、アンテナポート７、８および１１からの３層ダウンリンクデータ送信、ならびに、長さ４の直交符号が３層ダウンリンクデータ送信のための復調参照信号に適用されることを指定する。方法１２００は次に、長さ４の直交符号を使用して、３層ダウンリンクデータ送信のための復調参照信号を送信し得る。
【００６２】
図１３は、無線通信についての方法１３００の更に別の実施形態のフローチャートを示す。方法１３００は、基地局などのアクセスノードで実装され得る。段階１３０２において、方法１３００は、値を含むダウンリンク制御メッセージを送信し、ここで、値は、アンテナポート７、８、１１および１３からの４層ダウンリンクデータ送信、ならびに、長さ４の直交符号が４層ダウンリンクデータ送信のために復調参照信号に適用されることを指定する。方法１３００は次に、長さ４の直交符号を使用して、４層ダウンリンクデータ送信のための復調参照信号を送信し得る。
【００６３】
図１４は、無線通信についての方法１４００の更に別の実施形態のフローチャートを示す。方法１４００は、基地局などのアクセスノードで実装され得る。段階１４０２において、方法１４００は、３層データ送信についての復調参照信号を送信し、長さ４の直交符号は復調参照信号に適用され、復調参照信号は、アンテナポート７、アンテナポート８およびアンテナポート１１を介して送信される。
【００６４】
図１５は、無線通信についての方法１５００の更に別の実施形態のフローチャートを示す。方法１５００は、基地局などのアクセスノードで実装され得る。段階１５０２において、方法１５００は、４層データ送信についての復調参照信号を送信し、長さ４の直交符号は復調参照信号に適用され、復調参照信号は、アンテナポート７、アンテナポート８、アンテナポート１１およびアンテナポート１３を介して送信される。 
【００６５】
図１６は、ホストデバイスにインストールされ得る、本明細書に説明される方法を実行するための実施形態の処理システム１６００のブロック図を示す。示されるように、処理システム１６００は、プロセッサ１６０４、メモリ１６０６およびインタフェース１６１０−１６１４を含み、それらは図１６に示されるように配置されてよい（またはされなくてもよい）。プロセッサ１６０４は、計算および／または他の処理関連タスクを実行するように適合される任意のコンポーネントまたはコンポーネントの集合であってよく、メモリ１６０６は、プロセッサ１６０４による実行のためのプログラムおよび／または命令を格納するように適合される任意のコンポーネントまたはコンポーネントの集合であってよい。実施形態において、メモリ１６０６は、非一時的なコンピュータ可読媒体を含む。インタフェース１６１０、１６１２、１６１４は、処理システム１６００が他のデバイス／コンポーネントおよび／またはユーザと通信することを可能にする任意のコンポーネントまたはコンポーネントの集合であり得る。例えば、インタフェース１６１０、１６１２、１６１４のうちの１または複数は、プロセッサ１６０４からのデータ、制御メッセージまたは管理メッセージを、ホストデバイスおよび／またはリモートデバイスにインストールされたアプリケーションに伝達するように適合されてよい。別の例として、インタフェース１６１０、１６１２、１６１４の１または複数は、ユーザまたはユーザデバイス（例えば、パーソナルコンピュータ（ＰＣ）など）が、処理システム１６００とやり取り／通信することを可能にするよう適合され得る。処理システム１６００は、長期間ストレージ（例えば、非揮発性メモリなど）など、図１６に描写されない追加のコンポーネントを含み得る。 
【００６６】
一部の実施形態において、処理システム１６００は、遠隔通信ネットワークにアクセスしているか、またはそうでなければ遠隔通信ネットワークの一部であるネットワークデバイスに含まれる。一例において、処理システム１６００は、無線または有線遠隔通信ネットワークのネットワーク側デバイス、例えば、基地局、中継局、スケジューラ、コントローラ、ゲートウェイ、ルータ、アプリケーションサーバ、または遠隔通信ネットワーク内の任意の他のデバイスなどにある。他の実施形態において、処理システム１６００は、移動局、ユーザ機器（ＵＥ）、パーソナルコンピュータ（ＰＣ）、タブレット、ウェアラブル通信デバイス（例えば、スマートウォッチなど）、または、遠隔通信ネットワークにアクセスするよう適合された任意の他のデバイスなど、無線または有線遠隔通信ネットワークにアクセスするユーザ側デバイスにある。 
【００６７】
一部の実施形態において、インタフェース１６１０、１６１２、１６１４のうちの１または複数は、遠隔通信ネットワークを介してシグナリングを送信および受信するように適合された送受信機に処理システム１６００を接続する。図１７は、遠隔通信ネットワークを介してシグナリングを送信および受信するように適合される送受信機１７００のブロック図を示す。送受信機１７００は、ホストデバイスに組み込まれ得る。図示するように、送受信機１７００は、ネットワーク側インタフェース１７０２と、カプラ１７０４と、送信機１７０６と、受信機１７０８と、信号プロセッサ１７１０と、デバイス側インタフェース１７１２とを含み得る。ネットワーク側インタフェース１７０２は、無線または有線遠隔通信ネットワークを介してシグナリングを送信または受信するように適合された任意のコンポーネントまたはコンポーネントの集合を含んでよい。カプラ１７０４は、ネットワーク側インタフェース１７０２を介して双方向通信を容易にするように適合された任意のコンポーネントまたはコンポーネントの集合を含んでよい。送信機１７０６は、ネットワーク側インタフェース１７０２を介して送信するのに好適な変調キャリア信号にベースバンド信号を変換するように適合された任意のコンポーネントまたはコンポーネントの集合（例えば、アップコンバータ、電力増幅器など）を含んでよい。受信機１７０８は、ネットワーク側インタフェース１７０２を介して受信されるキャリア信号をベースバンド信号に変換するように適合された任意のコンポーネントまたはコンポーネントの集合（例えば、ダウンコンバータ、低雑音増幅器など）を含んでよい。信号プロセッサ１７１０は、ベースバンド信号を、デバイス側インタフェース１７１２を介した通信に適したデータ信号に変換するか、または逆の場合にも同様に変換するように適合させられている任意のコンポーネントまたはコンポーネントの集合を含み得る。デバイス側インタフェース１７１２は、信号プロセッサ１７１０と、ホストデバイス内のコンポーネント（例えば、処理システム１６００、ローカルエリアネットワーク（ＬＡＮ）ポートなど）との間でデータ信号を伝達するように適合される任意のコンポーネントまたはコンポーネントの集合を含んでよい。
【００６８】
送受信機１７００は、任意のタイプの通信媒体を介してシグナリングを送信および受信し得る。一部の実施形態において、送受信機１７００は、無線媒体を介してシグナリングを送信および受信する。例えば、送受信機１７００は、セルラープロトコル（例えば、ロングタームエボリューション（ＬＴＥ）など）、無線ローカルエリアネットワーク（ＷＬＡＮ）プロトコル（例えば、Ｗｉ−Ｆｉなど）、または任意の他のタイプの無線プロトコル（例えば、Ｂｌｕｅｔｏｏｔｈ（登録商標）、近距離無線通信（ＮＦＣ）など）などの無線通信プロトコルに従って通信するように適合された無線送受信機であってよい。そのような実施形態において、ネットワーク側インタフェース１７０２は、１または複数のアンテナ／放射要素を備える。例えば、ネットワーク側インタフェース１７０２は、単一のアンテナ、複数の別個のアンテナ、または、マルチレイヤ通信、例えば、単入力多出力（ＳＩＭＯ）、多入力単出力（ＭＩＳＯ）、多入力多出力（ＭＩＭＯ）などのために構成されるマルチアンテナアレイを含んでよい。他の実施形態において、送受信機１７００は、例えばツイストペアケーブル、同軸ケーブル、光ファイバなどといった有線媒体を介してシグナリングを送信および受信する。具体的な処理システムおよび／または送受信機は、示されるコンポーネントの全てを、または当該コンポーネントのサブセットのみを利用してよく、統合レベルはデバイス毎に異なっていてよい。
【００６９】
本明細書で提供する実施形態の方法の１または複数の段階が、対応するユニットまたはモジュールによって実行され得ることを理解されたい。例えば、送信ユニットまたは送信モジュールによって信号が送信され得る。信号は、受信ユニットまたは受信モジュールによって受信されてよい。信号は処理ユニットまたは処理モジュールによって処理され得る。他の段階は、ユニット／モジュールの決定、ユニット／モジュールの選択、ユニット／モジュールの割り当て、ユニット／モジュールの増加、ユニット／モジュールの減少、および／または、ユニット／モジュールの設定によって実行されてよい。それぞれのユニット／モジュールは、ハードウェア、ソフトウェア、またはそれらの組み合わせであってよい。例えば、ユニット／モジュールのうちの１または複数は、フィールドプログラマブルゲートアレイ（ＦＰＧＡ）または特定用途向け集積回路（ＡＳＩＣ）などの集積回路であり得る。
【００７０】
説明が詳細に説明されたが、様々な変更、置換および修正が、添付の特許請求の範囲により定義されているように、本開示の主旨および範囲から逸脱することなく行われ得ることを理解されたい。さらに、開示の範囲は、本明細書で説明された特定の実施形態に限定されることを意図するものではない。当業者であれば、現在存在する、または後に開発されるべきプロセス、機械、製造、組成物、手段、方法、または段階が、本明細書で説明された対応する実施形態と実質的に同一の機能を実行し得る、または実質的に同一の結果を実現し得ることを、本開示から容易に理解しよう。したがって、添付の特許請求の範囲は、その範囲内に、そのようなプロセス、機械、製造、組成物、手段、方法、または段階を含むように意図される。
【図１】
2020516158.tif 000003
【図２】
2020516158.tif 000004
【図３】
2020516158.tif 000005
【図４】
2020516158.tif 000006
【図５】
2020516158.tif 000007
【図６】
2020516158.tif 000008
【図７】
2020516158.tif 000009
【図８】
2020516158.tif 000010
【図９】
2020516158.tif 000011
【図１０】
2020516158.tif 000012
【図１１】
2020516158.tif 000013
【図１２】
2020516158.tif 000014
【図１３】
2020516158.tif 000015
【図１４】
2020516158.tif 000016
【図１５】
2020516158.tif 000017
【図１６】
2020516158.tif 000018
【図１７】
2020516158.tif 000019
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
アクセスノードによって実装される方法であって、前記方法は、
値を含むダウンリンク制御メッセージを送信する段階であって、前記値は、アンテナポート７、８および１１からの３層ダウンリンクデータ送信、および、長さ４の直交符号が前記３層ダウンリンクデータ送信についての復調参照信号に適用されることを指定する、段階を備える、
方法。
【請求項２】
前記値は、０のスクランブリング識別子を更に指定する、請求項１に記載の方法。
【請求項３】
２コードワードが前記３層ダウンリンクデータ送信について有効であるとき、前記値は効力を有する、請求項１または２に記載の方法。
【請求項４】
前記直交符号の各々は、［１  １  １  １］、［１  −１  １  −１］、［１  １  −１  −１］、または、［１  −１  −１  １］の１つである、請求項１から３のいずれか一項に記載の方法。
【請求項５】
アクセスノードによって実装される方法であって、前記方法は、
値を含むダウンリンク制御メッセージを送信する段階であって、前記値は、アンテナポート７、８、１１および１３からの４層ダウンリンクデータ送信、および、長さ４の直交符号が前記４層ダウンリンクデータ送信についての復調参照信号に適用されることを指定する、段階を備える、
方法。
【請求項６】
２コードワードが前記４層ダウンリンクデータ送信について有効であるとき、前記値は効力を有する、請求項５に記載の方法。
【請求項７】
前記直交符号の各々は、［１  １  １  １］、［１  −１  １  −１］、［１  １  −１  −１］、または、［１  −１  −１  １］の１つである、請求項５または６に記載の方法。
【請求項８】
命令を含む非一時的メモリストレージと、
前記非一時的メモリストレージと通信する１または複数のプロセッサと
を備える機器であって、前記１または複数のプロセッサは、
値を含むダウンリンク制御メッセージを送信する命令を実行し、前記値は、アンテナポート７、８および１１からの３層ダウンリンクデータ送信、および、長さ４の直交符号が３層ダウンリンクデータ送信についての復調参照信号に適用されることを指定する、
機器。
【請求項９】
前記値は更に、０のスクランブリング識別子を指定する、請求項８に記載の機器。
【請求項１０】
２コードワードが前記３層ダウンリンクデータ送信について有効であるとき、前記値は効力を有する、請求項８または９に記載の機器。
【請求項１１】
前記直交符号の各々は、［１  １  １  １］、［１  −１  １  −１］、［１  １  −１  −１］または［１  −１  −１  １］のいずれか１つである、請求項８から１０のいずれか一項に記載の機器。
【請求項１２】
命令を含む非一時的メモリストレージと、
前記非一時的メモリストレージと通信する１または複数のプロセッサと
を備える機器であって、前記１または複数のプロセッサは、
値を含むダウンリンク制御メッセージを送信する命令を実行し、前記値は、アンテナポート７、８、１１および１３からの４層ダウンリンクデータ送信、および、長さ４の直交符号が前記４層ダウンリンクデータ送信についての復調参照信号に適用されることを指定する、
機器。
【請求項１３】
前記値は更に、０のスクランブリング識別子を指定する、請求項１２に記載の機器。
【請求項１４】
２コードワードが前記４層ダウンリンクデータ送信について有効であるとき、前記値は効力を有する、請求項１２または１３に記載の機器。
【請求項１５】
前記直交符号の各々は、［１  １  １  １］、［１  −１  １  −１］、［１  １  −１  −１］または［１  −１  −１  １］のいずれか１つである、請求項１２から１４のいずれか一項に記載の機器。
【手続補正２】
【補正対象書類名】明細書
【補正対象項目名】全文
【補正方法】変更
【補正の内容】
【発明の詳細な説明】
【技術分野】
【０００１】
本発明は概して、ネットワークにおけるリソースの割り当ての管理に関連し、特定の実施形態において、復調参照信号のオーバーヘッドを低減するためのシステムおよび方法の技法および機構に関連する。
【背景技術】
【０００２】
ダウンリンク復調については、ロングタームエボリューション（ＬＴＥ）仕様は、復調参照信号（ＤＭＲＳ）を規定しており、これにより、ＵＥは、参照信号を推定し、データ等化およびチャネル復号のためのチャネルイコライザを得ることが可能になる。ＤＭＲＳは、各スロットにおける特定のリソース要素（ＲＥ）において搬送され得て、ＲＥの位置は、具体的には、アンテナ構成（または送信モード）に従って決定され得る。異なるアンテナポートについては、ＤＭＲＳを搬送するための異なるＲＥが、異なる直交カバーコード（ＯＣＣ）方式で使用され、その結果、異なるオーバーヘッド、および、チャネル推定の異なる正確度をもたらす。
【発明の概要】
【０００３】
技術的利点は概して、復調参照信号のオーバーヘッドを低減するためのシステムおよび方法を説明する本開示の実施形態によって実現される。
【０００４】
本開示の一態様によれば、アクセスノードによって実装される方法が提供される。当該方法は、値を含むダウンリンク制御メッセージを送信する段階であって、値は、アンテナポート７、８および１１からの３層ダウンリンクデータ送信、および、長さ４の直交符号が３層ダウンリンクデータ送信のための復調参照信号に適用されることを指定する、段階を備える。
【０００５】
本開示の別の態様によれば、アクセスノードによって実装される方法が提供され、当該方法は、値を含むダウンリンク制御メッセージを送信する段階であって、値は、アンテナポート７、８、１１および１３からの４層ダウンリンクデータ送信、および、長さ４の直交符号が４層ダウンリンクデータ送信のための復調参照信号に適用されることを指定する、段階を備える。
【０００６】
本開示の更に別の態様によれば、命令を含む非一時的メモリストレージと、メモリストレージと通信する１または複数のプロセッサとを備える機器が提供され、当該１または複数のプロセッサは、値を含むダウンリンク制御メッセージを送信する命令を実行し、値は、アンテナポート７、８および１１からの３層ダウンリンクデータ送信、および、長さ４の直交符号が３層ダウンリンクデータ送信の復調参照信号に適用されることを指定する。
【０００７】
本開示の更に別の態様によれば、命令を含む非一時的メモリストレージと、メモリストレージと通信する１または複数のプロセッサとを備える機器が提供され、当該１または複数のプロセッサは、値を含むダウンリンク制御メッセージを送信する命令を実行し、値は、アンテナポート７、８、１１および１３からの４層ダウンリンクデータ送信、および、長さ４の直交符号が４層ダウンリンクデータ送信の復調参照信号に適用されることを指定する。
【０００８】
任意選択で、前述の態様のいずれかにおいて、値は、ルックアップテーブルにおけるエントリのインデックスである。
【０００９】
任意選択で、前述の態様のいずれかにおいて、方法は更に、無線リソース制御（ＲＲＣ）メッセージにおいてルックアップテーブルの識別子を送信する段階を備え、識別子は、複数のルックアップテーブルから当該ルックアップテーブルを識別する。
【００１０】
任意選択で、前述の態様のいずれかにおいて、値は更に、０のスクランブリング識別子を指定する。
【００１１】
任意選択で、前述の態様のいずれかにおいて、２コードワードが３層ダウンリンクデータ送信について有効であるとき、値は効力を有する。
【００１２】
任意選択で、前述の態様のいずれかにおいて、直交符号の各々は、［１  １  １  １］、［１  −１  １  −１］、［１  １  −１  −１］または［１  −１  −１  １］の１つである。
【００１３】
本開示の更に別の態様によれば、アクセスノードが、３層データ送信のために復調参照信号を送信する段階であって、長さ４の直交符号が復調参照信号に適用され、復調参照信号は、アンテナポート７、アンテナポート８およびアンテナポート１１を介して送信される、段階を備える方法が提供される。
【００１４】
本開示の更に別の態様によれば、アクセスノードが、４層データ送信のために復調参照信号を送信する段階であって、長さ４の直交符号が復調参照信号に適用され、復調参照信号は、アンテナポート７、アンテナポート８、アンテナポート１１およびアンテナポート１３を介して送信される、段階を備える方法が提供される。
【００１５】
任意選択で、前述の態様のいずれかにおいて、直交符号は、［１  １  １  １］、［１  −１  １  −１］、［１  １  −１  −１］および［１  −１  −１  １］を含む。
【００１６】
任意選択で、前述の態様のいずれかにおいて、３層データ送信は２コードワードを使用する。
【００１７】
任意選択で、前述の態様のいずれかにおいて、４層データ送信は２コードワードを使用する。
【図面の簡単な説明】
【００１８】
本開示およびその利点をより十分に理解せしめるべく、ここで、添付図面と併せて、以下の説明が参照される。
【００１９】
【図１】無線通信ネットワークの実施形態の図を示す。
【００２０】
【図２】復調参照信号（ＤＭＲＳ）パターンの実施形態の図を示す。
【００２１】
【図３】ＤＭＲＳパターンの別の実施形態の図を示す。
【００２２】
【図４】ＤＭＲＳパターンの更に別の実施形態の図を示す。
【００２３】
【図５】ランク３またはランク４送信についてのＤＭＲＳパターンの実施形態の図を示す。
【００２４】
【図６】ランク３またはランク４送信についてのＤＭＲＳパターンの別の実施形態の図を示す。
【００２５】
【図７】ランク３またはランク４送信についてのＤＭＲＳパターンの実施形態の図を示す。
【００２６】
【図８】ダウンリンク制御情報（ＤＣＩ）テーブルの実施形態を示す。
【００２７】
【図９】ルックアップテーブルの別の実施形態を示す。
【００２８】
【図１０】無線通信についての方法の実施形態のフローチャートを示す。
【００２９】
【図１１】無線通信についての方法の別の実施形態のフローチャートを示す。
【００３０】
【図１２】無線通信についての方法の更に別の実施形態のフローチャートを示す。
【００３１】
【図１３】無線通信についての方法の更に別の実施形態のフローチャートを示す。
【００３２】
【図１４】無線通信についての方法の更に別の実施形態のフローチャートを示す。
【００３３】
【図１５】無線通信についての方法の更に別の実施形態のフローチャートを示す。
【００３４】
【図１６】処理システムの実施形態の図を示す。
【００３５】
【図１７】送受信機の実施形態の図を示す。
【００３６】
別途に示されない限り、異なる図における対応する番号および記号は概して、対応する部分を指す。図は、実施形態の関連する態様を明確に示すために描かれ、必ずしも縮尺通りに描かれていない。
【発明を実施するための形態】
【００３７】
本開示の実施形態の形成および利用が、以下、詳細に説明される。しかしながら、本明細書に開示される概念は、多様な具体的状況において具現可能なものであり、本明細書で説明される具体的な実施形態は例示に過ぎず、特許請求の範囲を限定するために機能するものではないことを理解されたい。更に、添付の特許請求の範囲によって規定される本開示の範囲から逸脱することなく、本明細書において、様々な変更、置換および修正を行うことができることを理解されたい。
【００３８】
本開示の実施形態は、復調参照信号（ＤＭＲＳ）を送信するための方法を提供する。一部の実施形態において、ＤＭＲＳパターンは、ランク３および／またはランク４送信について規定される。ＤＭＲＳパターンは、ＤＭＲＳを搬送するための物理リソースブロック（ＰＲＢ）あたり、複数のＲＥを規定する。実施形態において、３層または４層送信についてのＤＭＲＳを搬送するために、ＰＲＢにおいて合計で十二（１２）個のリソース要素（ＲＥ）が規定される。ポート７からポート１４のうち、任意の３または４個のアンテナポートを使用して、３層または４層送信が実行され得る。異なるアンテナポートを介して送信されるＤＭＲＳを区別するべく、長さ４の直交符号が使用され得る。一部の実施形態において、ランク３またはランク４送信についての規定されたＤＭＲＳパターンに従ってＤＭＲＳを送信するためのＤＭＲＳ設定が、基地局などのアクセスノードによって規定および送信され得る。ＤＭＲＳ設定は、ＤＭＲＳの送信に使用される、レイヤ１、レイヤ２、レイヤ３などの送信レイヤの数、ランク３またはランク４送信を実行するためのアンテナポートの番号、および、長さ４の直交符号についての情報を指定し得る。ＤＭＲＳ設定は、予約されたエントリを使用して、または、既存のエントリと置き換えることにより、新たなエントリとして、既存のルックアップテーブルに追加され得る。また、ＤＭＲＳ設定を指定するために、新しいダウンリンク制御情報（ＤＣＩ）テーブルが生成され得る。実施形態の方法は、ＰＲＢあたり、従来の方法における２４個のＲＥではなく、１２個のＲＥを使用して、ランク３および／またはランク４送信のためにＤＭＲＳを搬送し、ＤＭＲＳのオーバーヘッドを大幅に低減する。例えば、アクセスノードは、３層データ送信のためにＤＭＲＳを送信し得て、ＤＭＲＳは、３個のアンテナポートを介して送信され、関連する各リソースブロックについて１２個のリソース要素を占有する。別の例において、アクセスノードは４層データ送信のためにＤＭＲＳを送信し得て、ＤＭＲＳは、４個のアンテナポートを介して送信され、関連する各リソースブロックについて１２個のリソース要素を占有する。
【００３９】
図１は、データを通信するためのネットワーク１００を示す。ネットワーク１００は、カバレッジエリア１０１を有する基地局１１０、複数のモバイルデバイス１２０、および、バックホールネットワーク１３０を備える。示されるように、基地局１１０は、モバイルデバイス１２０から基地局１１０へデータを搬送する（その逆も成立する）ように機能するモバイルデバイス１２０とのアップリンク（破線）および／またはダウンリンク（点線）接続を確立する。アップリンク／ダウンリンク接続を介して搬送されるデータは、モバイルデバイス１２０間で通信されるデータ、および、バックホールネットワーク１３０を用いてリモート側（図示されない）との間で通信されるデータを含み得る。本明細書において使用される場合、「基地局」という用語は、強化型基地局（ｅＮＢ）、マクロセル、フェムトセル、Ｗｉ−Ｆｉアクセスポイント（ＡＰ）、または、他の無線対応デバイスなど、無線アクセスをネットワークに提供するよう構成される任意のコンポーネント（またはコンポーネントの集合）を指す。基地局は、例えば、ロングタームエボリューション（ＬＴＥ）、ＬＴＥアドバンスド（ＬＴＥ−Ａ）、高速パケットアクセス（ＨＳＰＡ）、Ｗｉ−Ｆｉ  ８０２．１１ａ／ｂ／ｇ／ｎ／ａｃなど、１または複数の無線通信プロトコルに従って、無線アクセスを提供し得る。本明細書において使用される場合、「モバイルデバイス」という用語は、ユーザ機器（ＵＥ）、移動局（ＳＴＡ）および他の無線対応デバイスなど、基地局との無線接続を確立可能な任意のコンポーネント（またはコンポーネントの集合）を指す。一部の実施形態において、ネットワーク１００は、様々な他の無線デバイス、例えば、リレー、低電力ノードなどを備えてよい。
【００４０】
ダウンリンク復調については、ＬＴＥ仕様は、復調参照信号（ＤＭＲＳ）を規定しており、これにより、ＵＥは、参照信号を推定し、データ等化およびチャネル復号のためのチャネルイコライザを得ることが可能になる。ＤＭＲＳは、各スロットにおける直交周波数分割多重（ＯＦＤＭ）時間周波数グリッドにおけるリソース要素（ＲＥ）において搬送され得る。ＯＦＤＭ時間周波数グリッドは、時間領域におけるＯＦＤＭシンボルおよび周波数領域におけるサブキャリアを含む時間周波数リソースを指定する。ＲＥは、１つのＯＦＤＭシンボルおよび１つのサブキャリアにおける時間周波数リソースによって規定される。ＯＦＤＭ時間周波数グリッドにおけるＤＭＲＳを搬送するＲＥの場所は異なり得て、結果として、異なるＤＭＲＳパターンをもたらす。各ＤＭＲＳパターンは、ＤＭＲＳを搬送するためのＯＦＤＭ時間周波数グリッドの物理リソースブロック（ＰＲＢ）あたり、複数のＲＥを指定する。本開示を通して、「ＰＲＢ」および「ＲＢ」の用語は交換可能に使用される。ＤＭＲＳパターンはＲＢに関連する。
【００４１】
ＬＴＥは、異なるアンテナポートを介して実行される送信の異なる層に対応する送信の異なるランクを規定する。例えば、ＬＴＥは、ランク１−８（１−８レイヤ）送信を規定する。ランク１およびランク２送信は、それぞれアンテナポート７および８にマッピングされるレイヤ１およびレイヤ２送信を含む。ランク３およびランク４送信は、それぞれアンテナポート７、８、９、１０にマッピングされるレイヤ１〜レイヤ４送信を含む。ランク５〜ランク８送信は、それぞれアンテナポート７−１４にマッピングされるレイヤ１〜レイヤ８送信を含む。異なるアンテナポートについては、異なる直交カバーコード（ＯＣＣ）方式と共に、異なるＤＭＲＳパターンが規定および使用される。異なるＤＭＲＳパターンは、異なるオーバーヘッドを必要として、その結果、チャネル推定の異なる正確度をもたらす。一般に、低〜無モビリティのユーザ、例えば、大まかに固定無線アクセス（ＦＷＡ）ユーザは、復調復号要件を満たすために必要なＤＭＲＳのオーバーヘッドが、モビリティを有するユーザより低い。開示を通して、「ポート」および「アンテナポート」という用語は交換可能に使用される。
【００４２】
図２は、３ＧＰＰ  ＴＳ．３６．２１２からの、ランク１およびランク２送信のＤＭＲＳパターンの図を示す。この例示的なＤＭＲＳパターンにおいて、ＲＢあたり１２個のＲＥが、ポート７およびポート８についてのＤＭＲＳを搬送するために使用される。図２は、時間領域における１４個のシンボル、および、周波数領域における１２個のサブキャリアを含む、ＯＦＤＭ時間周波数グリッドにおけるＲＢ２００を示し、すなわち、ＲＢ２００において、ＲＥは１４×１２＝１６８個である。ＲＢ２００は、ＤＭＲＳを送信するために、１２個のＲＥ２０２（斜線で網掛け）を含む。１２個のＲＥは、ＤＭＲＳ  ＲＥと称され得る。この例において、１２個のＲＥのすべてが占有され、ポート７またはポート８のいずれかについてのＤＭＲＳを送信する。ポート７および８についてのＤＭＲＳを送信するとき、異なるＯＣＣ２コードが使用され、その結果、受信機は、受信されたＤＭＲＳが、ポート７からのものであるか、または、ポート８からのものであるかを決定できる。例えば、ＯＣＣ２コード［１  １］は、ポート７を介して送信されるＤＭＲＳに適用され得て、ＯＣＣ２コード［１  −１］は、ポート８を介して送信されるＤＭＲＳに適用され得る。示されるように、１２個のＲＥ２０２は、６つのＲＥペア２０４に分割され、各ペアは、同一のサブキャリアおよび互いに隣接するＯＦＤＭシンボルを有する２個のＲＥを含む。例示的な実装において、各ペア２０４（すなわち、２個のＲＥ）は、特定のポートについて決定または選択されるＯＣＣ２コードと乗算され得る。 
【００４３】
図３は、ランク３およびランク４送信についてのＤＭＲＳパターンの図を示す。この例示的なＤＭＲＳパターンにおいて、４個のポート、すなわち、ポート７、ポート８、ポート９およびポート１０に対応するレイヤ１、レイヤ２、レイヤ３およびレイヤ４送信についてのＤＭＲＳを搬送するために、ＲＢあたり２４個のＲＥが規定される。ランク３送信については、３層の送信が、４個のポートのうち３個を介して実行される。ランク４送信については、４層の送信が、４個のポートを介して実行される。図３は、１６８個のＲＥを有するＲＢ３００が、レイヤ１、レイヤ２、レイヤ３、レイヤ４送信についてのＤＭＲＳを搬送するための２４個のＤＭＲＳ  ＲＥを含むことを示す。ポート７またはポート８を介して送信されるＤＭＲＳについては、１２個のＲＥ３０２（斜線で網掛け）が占有される。ポート９またはポート１０を介して送信されるＤＭＲＳについては、１２個のＲＥ３０４（水平線で網掛け）が占有される。ポート７および８についてのＤＭＲＳを送信するとき、異なるＯＣＣ２コードが使用される。同様に、ポート９および１０についてのＤＭＲＳを送信するとき、異なるＯＣＣ２コードが使用される。示されるように、１２個のＲＥ３０２は、６つのＲＥペア３０６に分割され、各ペアは、同一のサブキャリア、および、互いに隣接する、異なるＯＦＤＭシンボルを有する２個のＲＥを含む。同様に、１２個のＲＥ３０４は６つのＲＥペア３０８に分割され、各ペアは、同一のサブキャリア、および、互いに隣接する、異なるＯＦＤＭシンボルを有する２個のＲＥを含む。ＲＥ３０２または３０４の位置は、図３に示されるものと異なり得る。
【００４４】
図４は、ランク５、ランク６、ランク７およびランク８送信についてのＤＭＲＳパターンの図を示す。この例示的なＤＭＲＳパターンにおいて、ポート７〜ポート１４に対応するレイヤ１〜レイヤ８送信についてのＤＭＲＳを搬送するために、ＲＢあたり２４個のＲＥが規定される。示されるように、１６８個のＲＥを有するＲＢ４００は、ＤＭＲＳを搬送するための２４個のＤＭＲＳ  ＲＥを含む。ポート７、ポート８、ポート１１およびポート１３を介して送信されるＤＭＲＳについては、１２個のＲＥ４０２（斜線で網掛け）が占有される。ポート９、ポート１０、ポート１２およびポート１４を介して送信されるＤＭＲＳについては、１２個のＲＥ４０４（水平線で網掛け）が占有される。ポート７、ポート８、ポート１１およびポート１３についてのＤＭＲＳを送信するとき、異なるＯＣＣ４コードが使用され、その結果、受信機は、これらのポートから受信したＤＭＲＳを区別することができる。例えば、ＯＣＣ４コード［１  １  １  １］は、ポート７についてのＤＭＲＳに適用され得て、ＯＣＣ４コード［１  −１  １  −１］は、ポート８についてのＤＭＲＳに適用され得て、ＯＣＣ４コード［１  １  −１  −１］は、ポート１１についてのＤＭＲＳに適用され得て、ＯＣＣ４コード［−１  −１  １  １］は、ポート１３についてのＤＭＲＳに適用され得る。同様に、ポート９、ポート１０、ポート１２およびポート１４についてのＤＭＲＳを送信するとき、異なるＯＣＣ４コードが使用される。示されるように、１２個のＲＥ４０２は、３つのグループ４０６に分割され、各グループ４０６は、同一の行において４個のＲＥを含む（すなわち、４個のＲＥは同一のサブキャリアを有する）。各グループは、４つ組とも称され得る。同様に、１２個のＲＥ４０４は、３つの４つ組４０８に分割され、各４つ組４０８は、同一の行に４個のＲＥを含む。ＯＣＣ４コードをＤＭＲＳに適用するための例示的な実装において、ＲＥ４０６または４０８の各４つ組は、対応するアンテナポートについて指定されたＯＣＣ４コードで乗算され得る。 
【００４５】
異なる層の送信に使用される異なるＤＭＲＳパターンは、異なるＤＭＲＳのオーバーヘッドを生成する。一部の実施形態において、ＤＭＲＳのオーバーヘッドは、ポートごとにＤＭＲＳを搬送するために使用されるＲＢあたりのＲＥの数によって決定され得る。例えば、ランク１またはランク２送信において、１２個のＲＥが、２個のポートを介してＤＭＲＳを送信するために使用される。従って、オーバーヘッドは、ポートあたり、ランクあたり、１２／２＝６個のＲＥによって示され得る。２４個のＲＥが４個のポートに利用される、ランク３またはランク４送信については、オーバーヘッドは、ポートあたり、ランクあたり、２４／４＝６個のＲＥである。２４個のＲＥが８個のポートに利用される、ランク５〜ランク８送信については、オーバーヘッドは、ポートあたり、ランクあたり、２４／８＝３個のＲＥである。
【００４６】
本開示の実施形態は、レイヤ１、レイヤ２、レイヤ３およびレイヤ４送信に対応するランク３およびランク４送信についてのＤＭＲＳのオーバーヘッドを低減するための方法を提供する。具体的には、一実施形態によれば、レイヤ１、レイヤ２、レイヤ３およびレイヤ４送信において４個のポートを介してＤＭＲＳを送信するために、ＲＢあたり、同一の１２個のＲＥが使用される。この場合、４個のポートを介して送信されるＤＭＲＳを区別するべく、（ＯＣＣ２コードではなく）ＯＣＣ４コードが利用される。ＲＢあたり、図３に示されるように２４個のＲＥではなく、１２個のＲＥを使用することにより、オーバーヘッドが５０％、すなわち、ポートあたり、ランクあたり、１２／４＝３個のＲＥだけ低減される。
【００４７】
図５は、ランク３およびランク４送信についてのＤＭＲＳパターンの実施形態の図を示す。図５は、１６８個のＲＥを有するＲＢ５００が、４個のアンテナポートを介したランク３およびランク４送信についてのＤＭＲＳを搬送するために、合計で１２個のＤＭＲＳ  ＲＥ５０２を含むことを示す。同一の１２個のＲＥ５０２は、４個のポートの各々についてのＤＭＲＳを送信するために使用される。一部の実施形態において、４個のポートは、ポート７〜ポート１４から選択される任意の４個のポートを含み得る。例えば、４個のポートは、ポート７、８、９および１０であり得る。別の例において、４個のポートは、ポート７、８、１１および１３であり得る。更に別の例において、４個のポートは、ポート９、１０、１２および１４であり得る。ランク３送信については、４個のポートをうち３個を介して実行される最大３層の送信がある。例えば、ポート７、８、１１は、ランク３送信に使用され得る。別の例において、９、１０、１２はランク３送信に使用され得る。ランク４送信については、４個のポートを介して実行される最大４層の送信がある。例えば、ポート７、８、１１、１３、または、ポート９、１０、１２および１４が、ランク４送信に使用され得る。４個のポートは予め定められ得る、もしくは、予め設定され得る、または、ランク３もしくはランク４送信について動的に構成され得る。どのポート（例えば、ポートの番号）がランク３またはランク４送信に使用されるかについての情報が、無線リソース制御（ＲＲＣ）メッセージ、または、ダウンリンク制御メッセージなどのメッセージにおいて通信され得る。例えば、アクセスノードは、そのような情報を含むダウンリンク制御メッセージを送信し得る。この実施形態において、ポート７、８、１１および１３は、ランク３およびランク４送信のための例として使用される。例として、ポート９、１０、１２および１４は、ランク３およびランク４送信のために使用され得る。
【００４８】
一部の実施形態において、ポート７、ポート８、ポート１１、および、ポート１３についてのＤＭＲＳを送信するとき、これらのポートを介して送信されるＤＭＲＳを区別するために、異なるＯＣＣ４コードが使用され得る。例えば、ＯＣＣ４コード［１  １  １  １］、［１  −１  １  −１］、［１  １  −１  −１］および［１  −１  −１  １］が、それぞれ、ポート７、ポート８、ポート１１およびポート１３に割り当てられ得る。他の直交符号も可能であり、それらは、４個のポートのうちのどれが、受信したＤＭＲＳのどれを送信するかを受信機が決定できるようにも使用され得る。示されるように、１２個のＲＥ５０２は３つのグループ５０４に分割され、各グループ５０４は、同一の行に４個のＲＥを含む（すなわち、４個のＲＥは同一のサブキャリアを有する）。各グループにおいて、４個のＲＥは、２つのペアに分割されるものと見なされ得て、各ペアは、隣接するＯＦＤＭシンボルに位置する２個のＲＥを含む（または、２個のＲＥは、時間領域において隣接するように位置する）。対応するアンテナポートについて指定されたＯＣＣ４コードを適用するとき、ＲＥの各グループ（すなわち、ＲＥの４つ組）５０４は、ＯＣＣ４コードで乗算され得る。この場合、各グループは、ＯＣＣ４グループとも称され得る。各ＲＥは、シンボルインデックスおよびサブキャリアインデックス、例えば、（シンボルインデックス、サブキャリアインデックス）を使用して識別され得る。例えば、一番上の行における４個のＲＥのグループは、（６，１２）、（７，１２）、（１３，１２）および（１４，１２）によって表され得る。また、示されるように、異なるＯＣＣグループ５０４におけるＲＥは、時間領域において互いに揃っている。例えば、３つのＯＣＣグループにおけるＲＥ５０２ａは、時間領域において互いにすべて揃っている（すなわち、それらは同一のＯＦＤＭシンボルに位置する）。同様に、３つのＯＣＣグループ５０４におけるＲＥ５０２ｂは、時間領域において互いにすべて揃っている。
【００４９】
ランク３およびランク４送信についてのＤＭＲＳを搬送する実施形態における１２個のＲＥは、図５に示されるものと異なるように位置し得る。一部の実施形態において、実施形態における１２個のＲＥは、ＤＭＲＳを搬送するために、規格において指定された、または、既存のＲＥ（例えば、ＬＴＥ規格）に位置し得る。例えば、図５の実施形態における１２個のＲＥは、図３において示されるように、ポート７および８について規定される１２個のＲＥと同一の位置を有する。別の例において、図５の実施形態における１２個のＲＥは、図３において示されるように、ポート９および１０について規定されるＲＥと同一の位置を有し得る。一部の実施形態において、各ＯＣＣグループにおける４個のＲＥは、異なる行（すなわち、周波数領域における異なるサブキャリア）に位置し得る。図６に示されるように、ＲＢ６００は、ＤＭＲＳを搬送するために、１２個のＲＥ６０２を含む。１２個のＲＥは、各々４個のＲＥを含む３つのＯＣＣグループ６０４、６０６および６０８に分割される。示されるように、各ＯＣＣグループ６０４、６０６、６０８における４個のＲＥは、同一の行に位置しない。例えば、ＯＣＣグループ６０４におけるＲＥ６０２ａおよびＲＥ６０２ｂは、インデックス番号１１のサブキャリア（サブキャリア１１）に位置し、一方、ＯＣＣグループ６０４におけるＲＥ６０２ｃおよびＲＥ６０２ｄは、サブキャリア１２に位置する。別の例において、ＯＣＣグループにおけるＲＥは、互いに異なるサブキャリアに位置し得る。
【００５０】
また、図６に示されるように、ＯＣＣグループ６０４、６０６および６０８におけるＲＥは、時間領域において互いに揃えられる。しかしながら、一部の実施形態において、１つのＯＣＣグループにおけるＲＥは、ＤＭＲＳパターンの別のＯＣＣグループにおけるＲＥと揃わないことがあり得る。例えば、ＯＣＣグループ６０６におけるＲＥ６０２ｅおよび６０２ｆは、５および６のインデックスを有するシンボル（すなわち、シンボル５およびシンボル６）に、または、シンボル３およびシンボル４にそれぞれ位置し得て、一方、ＯＣＣグループ６０４におけるＲＥ６０２ａおよび６０２ｂは、それぞれシンボル６およびシンボル７に位置する。一部の実施形態において、１つのＯＣＣグループにおける各ＲＥは、別のＯＣＣグループにおけるＲＥとは異なるシンボルに位置し得る。ランク３およびランク４送信のためにＤＭＲＳを搬送する実施形態における１２個のＲＥは、ＲＢ内の様々な場所に位置し得る。例えば、１２個のＲＥは、ＲＢにおいて均等に分散され得る。別の例において、１２個のＲＥはまた、ＲＢ内でランダムに分散され得る。１２個のＲＥの位置は、データまたは制御情報を送信するためのレイテンシ要件などの様々な送信要件に基づいて決定され得る。
【００５１】
一部の実施形態において、異なるＲＢは、異なるＤＭＲＳパターンを使用し得る。図７は、本開示の実施形態に係るＲＢ７１０およびＲＢ７２０において使用される２つの異なるＤＭＲＳパターンを示す図を示す。ＲＢ７１０およびＲＢ７２０はそれぞれ、奇数のＲＢおよび偶数のＲＢであり得る。示されるように、ＲＢ７１０およびＲＢ７２０の各々は、ランク３およびランク４送信についてのＤＭＲＳパターンを送信するために１２個のＲＥを有する。ＲＢ７１０における１２個のＲＥは、３つのＯＣＣグループ７０２に分割され、ＲＢ７１０における１２個のＲＥは３つのＯＣＣグループ７０４に分割される。しかしながら、ＲＢ７１０のＯＣＣグループ７０２におけるＲＥは、それぞれ、サブキャリア２、７および１２に位置し、一方、ＲＢ７２０のＯＣＣグループ７０４におけるＲＥは、それぞれ、サブキャリア１、６および１１に位置する。異なるＲＢについて異なるＤＭＲＳパターンを使用する他の変形形態が可能である。例えば、複数の組のＲＢがＵＥのためにスケジューリングされ得て、各組は、互いに異なる１つのＤＭＲＳパターンを使用し得る。
【００５２】
一部の実施形態において、ランク３およびランク４送信についての複数のＤＭＲＳパターンが予め設定され得る。各ＤＭＲＳパターンは、ＤＭＲＳを搬送するために、ＲＢあたり１２個のＲＥを含み、それらはＲＢにおいて対応する位置を有する。基地局などの送信機は、各送信に使用される１または複数のＤＭＲＳパターンを決定または選択し得る。一実施形態において、送信機は、ランク３またはランク４送信においてＤＭＲＳを送信するために使用されるＤＭＲＳパターンについての情報を、ＵＥなどの受信機へ送信し得る。ＤＭＲＳパターンについての情報は、ＤＭＲＳパターンを識別するＤＭＲＳパターン識別子を含み得る。ＤＭＲＳパターンについての情報は、ＰＲＢあたりのＤＭＲＳを搬送するＲＥの数、または、ＰＲＢあたりのＲＥの位置を含み得る。別の実施形態において、ランク３およびランク４送信についてのＤＭＲＳパターンは、予め定められ得る、または、事前知識として送信機および受信機の両方に指定され得る。例えば、ＤＭＲＳパターンは、規格の技術仕様書において指定され得る。この場合、ランク３またはランク４送信を受信する受信機は、ＲＢにおけるどのＲＥがＤＭＲＳを搬送するかを、事前知識に基づいて、容易に理解するであろう。
【００５３】
一部の実施形態において、ＤＭＲＳを送信するための情報が受信機へも送信され得る。情報は、送信レイヤの数、送信レイヤにおける送信を実行するための１または複数のアンテナポート、および、ＤＭＲＳを送信するために使用されるＯＣＣコードを含み得る。ＤＭＲＳ設定は、スクランブリング識別子など、他の情報も含み得る。情報はＤＭＲＳ設定とも称され得る。ＤＭＲＳ設定は、無線リソース制御（ＲＲＣ）メッセージまたはダウンリンク制御情報（ＤＣＩ）メッセージを使用してＵＥに通信され得る。受信機は、受信されたＤＭＲＳ設定に基づいて、アンテナポートを介して送信されるＤＭＲＳを識別する。従来、各ＤＣＩメッセージは、ルックアップテーブルに従ってＤＭＲＳ設定を指定し得る。例えば、ルックアップテーブルはＤＣＩテーブルであり得る。送信機および受信機の両方はルックアップテーブルにアクセスできる。図８は、３ＧＰＰ  ＴＳ．３６．２１２の技術仕様書において指定されるＤＣＩテーブル８００（テーブル５．３．３．１．５Ｃ−２）を示す。ＤＣＩテーブル８００は、複数のメッセージ値（すなわち、「値」の列における値）を含み、各メッセージ値は、ＤＭＲＳを送信するための情報（すなわち、「メッセージ」の列における情報）に対応する。メッセージ値はまた、ＤＣＩテーブルにおけるエントリのインデックスと称され得て、各インデックスはＤＭＲＳ設定に対応する。例えば、「２コードワード」の列の下のインデックス３（３のメッセージ値）は、［２層、ポート７−８、ｎＳＣＩＤ＝１（ＯＣＣ＝４）］のＤＭＲＳ設定に対応する。すなわち、２コードワードがデータ送信について有効である、または、使用されるとき、「２コードワード」の列の下のインデックス３を有するエントリ、すなわち、［２層、ポート７−８、ｎＳＣＩＤ＝１（ＯＣＣ＝４）］が効力を有し、２層送信において、ＤＭＲＳを送信するために使用される。別の例において、「２コードワード」の列の下のインデックス５（５のメッセージ値）は、［２層、ポート１１、１３、ｎＳＣＩＤ＝１（ＯＣＣ＝４）］のＤＭＲＳ設定に対応する。コードワードは、送信のためにデータの形式が整えられる前のデータを表し得る。１コードワードまたは２コードワードが、チャネル条件、または、使用ケースに応じて、送信のために使用され得る。ｎＳＣＩＤはスクランブリング識別子を表し、含まれるスクランブリング識別子を示すために０または１に設定され得る。スクランブリング識別子は、０のデフォルト値（または、スクランブリング無し）をとる場合、スキップされ得る。一例において、３ＧＰＰ  ＴＳ．３６．２１２のセクション６．１０．３．１、テーブル５．３．３．１．５ｃ−２において指定されるように、上位レイヤパラメータｄｍｒｓ−ｔａｂｌｅＡｌｔが１に設定されているとき、アンテナポート７、８、１１および１３についてのスクランブリング識別子を表すために４ビットが規定される。ＤＣＩメッセージは、ルックアップテーブルにおける対応するＤＭＲＳ設定を示すために、インデックス（メッセージ値）を搬送するだけであり得る。ＤＣＩフォーマット２ｃを例にとると、６のメッセージ値を含むＤＣＩ  ２ｃメッセージは、ＤＣＩテーブル８００におけるＤＭＲＳ設定（「２コードワード」の列の下の値６）を示し、ＤＭＲＳは、ＯＣＣ２コードと共に、ポート７、８および９上でランク３（３層）送信のために送信される。別の例において、ＤＣＩテーブル８００に従って７のメッセージ値（「２コードワード」の列の下の値７）を含むＤＣＩ  ２ｃメッセージは、ポート７および８のために、および、ポート９および１０のためにそれぞれ使用されるＯＣＣ２コードと共に、ＤＭＲＳがポート７、８、９および１０上でランク４（４層）送信のために送信されることを示す。受信機は、受信したメッセージ値に従って、ＤＣＩテーブル８００から情報を検索し得る。これらの例において、図３に示されるものなど、デフォルトのＤＭＲＳパターンは、予め定められ、送信機および受信機の両方に知られている。受信機は、デフォルトのＤＭＲＳパターンに従って搬送されるＤＭＲＳを受信するためには、送信レイヤ、アンテナポート、および、ＯＣＣコードを知るだけでよい。
【００５４】
オーバーヘッドが低減された、ＤＭＲＳパターンの実施形態、例えば、図５〜７において示されるようなＤＭＲＳパターンなどに従ってＤＭＲＳを送信するためのＤＭＲＳ設定が、ルックアップテーブルにおいても指定され、例えば、ＤＣＩメッセージまたはＲＲＣメッセージを使用して受信機と通信され得る。一部の実施形態において、ＤＭＲＳ設定が、無線通信規格に従って、技術仕様書において指定される既存のルックアップテーブルにおける新たなエントリとして追加され得る。例えば、ＤＣＩテーブル８００に新たなエントリが追加され、予約されたエントリを占有し得る。図９は、追加されたＤＭＲＳ設定を含むＤＣＩテーブル９００の実施形態を示す。ルックアップテーブル９００は、図８におけるルックアップテーブル８００から複製されるが、予約エントリにおける「２コードワード」の列の下に、２つの新たなエントリが追加される。ＤＣＩテーブル９００は、既存のＤＣＩテーブルの改変されたＤＣＩテーブルとして理解され得る。示されるように、１２のメッセージ値に対応するランク３送信について、新たなエントリが追加され、１３のメッセージ値に対応するランク４送信について、別の新たなエントリが追加される。
【００５５】
一部の実施形態において、ランク３送信についての新たなエントリは、３層送信がマッピングされるアンテナポートについての情報を含み得る。例えば、ランク３送信のためのアンテナポートは、ポート７、８および９を含み得る。別の例において、アンテナポートは、ポート７、８および１１を含み得る。上で説明されるように、ランク３送信についてのアンテナポートは、ポート７〜ポート１４からの任意の３個のアンテナポートを含み得る。３個のアンテナポートは連続または非連続であり得る。ランク３送信についての新たなエントリは更に、送信レイヤの数、すなわち３層を含む情報を明示的に、または、暗示的に指定し得る。ランク３送信についての新たなエントリはまた、ＯＣＣ方式についての情報、すなわち、長さを有する直交符号、例えば、ＯＣＣ４を含み得る。ランク３送信についての新たなエントリは、スクランブリング識別子を含み得る、または含まないことがあり得て、スクランブリング識別子の任意の値が含まれ得る。説明のための例として、ランク３送信についての新たなエントリは、図９に示されるように、［３層、ポート７、８、１１、ＯＣＣ＝４］などの情報を含み得る。別の例において、ランク３送信についての新たなエントリは、［３層、ポート７、８、９、ＯＣＣ＝４］などの情報を含み得る。実施形態のＤＭＲＳパターンに従って３層送信についてのＤＭＲＳを送信するための新たなエントリにおいて情報を指定するための他の変形形態が可能である。
【００５６】
同様に、ランク４送信についての新たなエントリは、４層送信がマッピングされるアンテナポートについての情報を含み得る。例えば、ランク４送信についてのアンテナポートは、ポート７、８、９および１０を含み得る。別の例において、アンテナポートは、ポート７、８、１１および１３を含み得る。上で説明されるように、ランク４送信についてのアンテナポートは、ポート７〜ポート１４における任意の４個のアンテナポートを含み得る。４個のアンテナポートは連続または非連続であり得る。ランク４送信についての新たなエントリは更に、送信レイヤの数、例えば４層を含む情報を明示的に、または、暗示的に指定し得る。ランク４送信についての新たなエントリはまた、ＯＣＣ方式についての情報、すなわち、長さ４を有する直交符号、例えば、ＯＣＣ４を含み得る。ランク４送信についての新たなエントリは、スクランブリング識別子を含み得る、または含まないことがあり得て、スクランブリング識別子の任意の値が含まれ得る。説明のための例として、ランク４送信についての新たなエントリは、図９に示されるように、［４層、ポート７、８、１１、１３、ＯＣＣ＝４］などの情報を含み得る。別の例において、ランク４送信についての新たなエントリは、［４層、ポート７、８、９、１０、ＯＣＣ＝４］などの情報を含み得る。実施形態のＤＭＲＳパターンに従って４層送信についてのＤＭＲＳを送信するための新たなエントリにおいて情報を指定するための他の変形形態が可能である。
【００５７】
一部の実施形態において、新たなエントリはまた、既存のルックアップテーブル、例えばＤＣＩテーブル８００の既存のエントリと置き換わり得る。例えば、［４層、ポート７、８、１１、１３、ＯＣＣ＝４］の新たなエントリは、「２コードワード」の列の下のＤＣＩテーブル８００における７の値に対応するエントリと置き換わり得る。一部の実施形態において、実施形態のＤＭＲＳパターンに従ってＤＭＲＳを送信するためのＤＭＲＳ設定を含むように、新しいルックアップテーブルが生成され得る。新しいルックアップテーブルは、割り当てられた異なるテーブル識別子を使用して、既存のルックアップテーブルから区別され得る。送信機は、ＤＭＲＳが新しいルックアップテーブルに従って送信されるか、または、既存のルックアップテーブルに従って送信されるかについて、受信機と通信し得る。例えば、送信機は、フラグを受信機へシグナリングすることによって、どのルックアップテーブルが使用されるかを通信し得て、フラグ＝０は、既存のルックアップテーブルが使用されることを示し、フラグ＝１は、新しいルックアップテーブルが使用されることを示し、または、その逆も成立する。そのようなフラグは、無線リソース制御メッセージに含まれ得る。１または複数の新しいルックアップテーブルを、１または複数の既存のルックアップテーブルから区別するための他の変形形態が可能である。ＤＭＲＳ設定を指定する複数のルックアップテーブルが使用可能であるとき、各ルックアップテーブルは、ルックアップテーブル識別子によって識別され得る。この場合、送信機は、どのルックアップテーブルが使用されるかを示すために、ルックアップテーブル識別子を受信機へ送信し得る。このように、受信機は、右のルックアップテーブルにおいて、対応するＤＭＲＳ設定を発見し得る。一実施形態において、デフォルトのルックアップテーブルが規定され得て、送信機および受信機の両方に知らされ得る。どのルックアップテーブルが使用されるかについての情報を受信機が受信しなかったとき、受信機は、ＤＲＭＳ設定を発見するために、デフォルトのルックアップテーブルを使用し得る。 
【００５８】
図１０は、無線通信のための方法１０００の実施形態のフローチャートを示す。方法１０００は、基地局などのアクセスノードで実装され得る。段階１００２において、方法１０００は、ＤＭＲＳパターンに従って３層または４層送信についての復調参照信号（ＤＭＲＳ）を送信する。ＤＭＲＳパターンは、物理リソースブロック（ＰＲＢ）における十二（１２）個のＲＥが、３層または４層送信についてのＤＭＲＳを搬送するために規定されることを指定し、ここで、１２個のＲＥは、長さ４の直交符号で符号化される。一部の実施形態において、段階１００２の前に、方法１０００は、ＤＭＲＳの送信を示すために、ＤＭＲＳ設定を送信し得る。一部の実施形態において、方法１０００は、ＵＥのためにＤＭＲＳパターンを選択または決定し、ＤＭＲＳパターンについての情報をＵＥへ送信し得る。
【００５９】
図１１は、無線通信についての方法１１００の実施形態のフローチャートを示す。方法１１００は、基地局などのアクセスノードで実装され得る。段階１１０２において、方法１１００は、３層送信についてのＤＭＲＳを送信するための第１エントリ、または、４層送信についてのＤＭＲＳを送信するための第２エントリを含む第１ルックアップテーブルにおいて復調参照信号（ＤＭＲＳ）設定を送信する。第１エントリは、データ送信レイヤの数が３であること、３層送信を実行するための３個のアンテナポートのインデックス、および、長さ４の直交符号がＤＭＲＳに適用されることを指定する。第２エントリは、データ送信レイヤの数が４であること、４層送信を実行するための４個のアンテナポートのインデックス、および、長さ４の直交符号がＤＭＲＳに適用されることを指定する。方法１１００は次に、例えば、段階１１０４において、ＤＭＲＳ設定に従って、第１の３層送信、または、第１の４層送信についてのＤＭＲＳを更に送信し得る。
【００６０】
図１２は、無線通信のための方法１２００の別の実施形態のフローチャートを示す。方法１２００は、基地局などのアクセスノードで実装され得る。段階１２０２において、方法１２００は、値を含むダウンリンク制御メッセージを送信し、ここで、値は、アンテナポート７、８および１１からの３層ダウンリンクデータ送信、ならびに、長さ４の直交符号が３層ダウンリンクデータ送信のための復調参照信号に適用されることを指定する。方法１２００は次に、長さ４の直交符号を使用して、３層ダウンリンクデータ送信のための復調参照信号を送信し得る。
【００６１】
図１３は、無線通信についての方法１３００の更に別の実施形態のフローチャートを示す。方法１３００は、基地局などのアクセスノードで実装され得る。段階１３０２において、方法１３００は、値を含むダウンリンク制御メッセージを送信し、ここで、値は、アンテナポート７、８、１１および１３からの４層ダウンリンクデータ送信、ならびに、長さ４の直交符号が４層ダウンリンクデータ送信のために復調参照信号に適用されることを指定する。方法１３００は次に、長さ４の直交符号を使用して、４層ダウンリンクデータ送信のための復調参照信号を送信し得る。
【００６２】
図１４は、無線通信についての方法１４００の更に別の実施形態のフローチャートを示す。方法１４００は、基地局などのアクセスノードで実装され得る。段階１４０２において、方法１４００は、３層データ送信についての復調参照信号を送信し、長さ４の直交符号は復調参照信号に適用され、復調参照信号は、アンテナポート７、アンテナポート８およびアンテナポート１１を介して送信される。
【００６３】
図１５は、無線通信についての方法１５００の更に別の実施形態のフローチャートを示す。方法１５００は、基地局などのアクセスノードで実装され得る。段階１５０２において、方法１５００は、４層データ送信についての復調参照信号を送信し、長さ４の直交符号は復調参照信号に適用され、復調参照信号は、アンテナポート７、アンテナポート８、アンテナポート１１およびアンテナポート１３を介して送信される。 
【００６４】
図１６は、ホストデバイスにインストールされ得る、本明細書に説明される方法を実行するための実施形態の処理システム１６００のブロック図を示す。示されるように、処理システム１６００は、プロセッサ１６０４、メモリ１６０６およびインタフェース１６１０−１６１４を含み、それらは図１６に示されるように配置されてよい（またはされなくてもよい）。プロセッサ１６０４は、計算および／または他の処理関連タスクを実行するように適合される任意のコンポーネントまたはコンポーネントの集合であってよく、メモリ１６０６は、プロセッサ１６０４による実行のためのプログラムおよび／または命令を格納するように適合される任意のコンポーネントまたはコンポーネントの集合であってよい。実施形態において、メモリ１６０６は、非一時的なコンピュータ可読媒体を含む。インタフェース１６１０、１６１２、１６１４は、処理システム１６００が他のデバイス／コンポーネントおよび／またはユーザと通信することを可能にする任意のコンポーネントまたはコンポーネントの集合であり得る。例えば、インタフェース１６１０、１６１２、１６１４のうちの１または複数は、プロセッサ１６０４からのデータ、制御メッセージまたは管理メッセージを、ホストデバイスおよび／またはリモートデバイスにインストールされたアプリケーションに伝達するように適合されてよい。別の例として、インタフェース１６１０、１６１２、１６１４の１または複数は、ユーザまたはユーザデバイス（例えば、パーソナルコンピュータ（ＰＣ）など）が、処理システム１６００とやり取り／通信することを可能にするよう適合され得る。処理システム１６００は、長期間ストレージ（例えば、非揮発性メモリなど）など、図１６に描写されない追加のコンポーネントを含み得る。 
【００６５】
一部の実施形態において、処理システム１６００は、遠隔通信ネットワークにアクセスしているか、またはそうでなければ遠隔通信ネットワークの一部であるネットワークデバイスに含まれる。一例において、処理システム１６００は、無線または有線遠隔通信ネットワークのネットワーク側デバイス、例えば、基地局、中継局、スケジューラ、コントローラ、ゲートウェイ、ルータ、アプリケーションサーバ、または遠隔通信ネットワーク内の任意の他のデバイスなどにある。他の実施形態において、処理システム１６００は、移動局、ユーザ機器（ＵＥ）、パーソナルコンピュータ（ＰＣ）、タブレット、ウェアラブル通信デバイス（例えば、スマートウォッチなど）、または、遠隔通信ネットワークにアクセスするよう適合された任意の他のデバイスなど、無線または有線遠隔通信ネットワークにアクセスするユーザ側デバイスにある。 
【００６６】
一部の実施形態において、インタフェース１６１０、１６１２、１６１４のうちの１または複数は、遠隔通信ネットワークを介してシグナリングを送信および受信するように適合された送受信機に処理システム１６００を接続する。図１７は、遠隔通信ネットワークを介してシグナリングを送信および受信するように適合される送受信機１７００のブロック図を示す。送受信機１７００は、ホストデバイスに組み込まれ得る。図示するように、送受信機１７００は、ネットワーク側インタフェース１７０２と、カプラ１７０４と、送信機１７０６と、受信機１７０８と、信号プロセッサ１７１０と、デバイス側インタフェース１７１２とを含み得る。ネットワーク側インタフェース１７０２は、無線または有線遠隔通信ネットワークを介してシグナリングを送信または受信するように適合された任意のコンポーネントまたはコンポーネントの集合を含んでよい。カプラ１７０４は、ネットワーク側インタフェース１７０２を介して双方向通信を容易にするように適合された任意のコンポーネントまたはコンポーネントの集合を含んでよい。送信機１７０６は、ネットワーク側インタフェース１７０２を介して送信するのに好適な変調キャリア信号にベースバンド信号を変換するように適合された任意のコンポーネントまたはコンポーネントの集合（例えば、アップコンバータ、電力増幅器など）を含んでよい。受信機１７０８は、ネットワーク側インタフェース１７０２を介して受信されるキャリア信号をベースバンド信号に変換するように適合された任意のコンポーネントまたはコンポーネントの集合（例えば、ダウンコンバータ、低雑音増幅器など）を含んでよい。信号プロセッサ１７１０は、ベースバンド信号を、デバイス側インタフェース１７１２を介した通信に適したデータ信号に変換するか、または逆の場合にも同様に変換するように適合させられている任意のコンポーネントまたはコンポーネントの集合を含み得る。デバイス側インタフェース１７１２は、信号プロセッサ１７１０と、ホストデバイス内のコンポーネント（例えば、処理システム１６００、ローカルエリアネットワーク（ＬＡＮ）ポートなど）との間でデータ信号を伝達するように適合される任意のコンポーネントまたはコンポーネントの集合を含んでよい。
【００６７】
送受信機１７００は、任意のタイプの通信媒体を介してシグナリングを送信および受信し得る。一部の実施形態において、送受信機１７００は、無線媒体を介してシグナリングを送信および受信する。例えば、送受信機１７００は、セルラープロトコル（例えば、ロングタームエボリューション（ＬＴＥ）など）、無線ローカルエリアネットワーク（ＷＬＡＮ）プロトコル（例えば、Ｗｉ−Ｆｉなど）、または任意の他のタイプの無線プロトコル（例えば、Ｂｌｕｅｔｏｏｔｈ（登録商標）、近距離無線通信（ＮＦＣ）など）などの無線通信プロトコルに従って通信するように適合された無線送受信機であってよい。そのような実施形態において、ネットワーク側インタフェース１７０２は、１または複数のアンテナ／放射要素を備える。例えば、ネットワーク側インタフェース１７０２は、単一のアンテナ、複数の別個のアンテナ、または、マルチレイヤ通信、例えば、単入力多出力（ＳＩＭＯ）、多入力単出力（ＭＩＳＯ）、多入力多出力（ＭＩＭＯ）などのために構成されるマルチアンテナアレイを含んでよい。他の実施形態において、送受信機１７００は、例えばツイストペアケーブル、同軸ケーブル、光ファイバなどといった有線媒体を介してシグナリングを送信および受信する。具体的な処理システムおよび／または送受信機は、示されるコンポーネントの全てを、または当該コンポーネントのサブセットのみを利用してよく、統合レベルはデバイス毎に異なっていてよい。
【００６８】
本明細書で提供する実施形態の方法の１または複数の段階が、対応するユニットまたはモジュールによって実行され得ることを理解されたい。例えば、送信ユニットまたは送信モジュールによって信号が送信され得る。信号は、受信ユニットまたは受信モジュールによって受信されてよい。信号は処理ユニットまたは処理モジュールによって処理され得る。他の段階は、ユニット／モジュールの決定、ユニット／モジュールの選択、ユニット／モジュールの割り当て、ユニット／モジュールの増加、ユニット／モジュールの減少、および／または、ユニット／モジュールの設定によって実行されてよい。それぞれのユニット／モジュールは、ハードウェア、ソフトウェア、またはそれらの組み合わせであってよい。例えば、ユニット／モジュールのうちの１または複数は、フィールドプログラマブルゲートアレイ（ＦＰＧＡ）または特定用途向け集積回路（ＡＳＩＣ）などの集積回路であり得る。
【００６９】
説明が詳細に説明されたが、様々な変更、置換および修正が、添付の特許請求の範囲により定義されているように、本開示のおよび範囲から逸脱することなく行われ得ることを理解されたい。さらに、開示の範囲は、本明細書で説明された特定の実施形態に限定されることを意図するものではない。当業者であれば、現在存在する、または後に開発されるべきプロセス、機械、製造、組成物、手段、方法、または段階が、本明細書で説明された対応する実施形態と実質的に同一の機能を実行し得る、または実質的に同一の結果を実現し得ることを、本開示から容易に理解しよう。したがって、添付の特許請求の範囲は、その範囲内に、そのようなプロセス、機械、製造、組成物、手段、方法、または段階を含むように意図される。
【国際調査報告】
2020516158.tif 000020
2020516158.tif 000021
2020516158.tif 000022